(57)【要約】【課題】オリジナルＣＤ上のディジタル情報信号のコピーを未然に防止する。【解決手段】一つの符号語Ｃｘに続く次の符号語Ｃｙと次の次の符号語Ｃｚとを少なくとも先読みし、且つ、少なくとも一つの符号語Ｃｘと次の符号語Ｃｙとの間及び次の符号語Ｃｙと次の次の符号語Ｃｚとの間に、ｒビットによる複数組の結合ビット１ｂを所定のランレングス制限規則を厳守せずに仮に付加して、少なくとも一つの符号語Ｃｘから次の次の符号語Ｃｚまでの符号語列を多数組生成し、多数組の符号語列の各ＤＳＶ値のうちでＤＳＶ値の絶対値が一番零に近い一つの組の符号語列を選択して、この一つの組の符号語列中における一つの符号語Ｃｘと次の符号語Ｃｙとの間に付加した結合ビットを用い、一つの符号語Ｃｘから結合ビットを介して次の符号語Ｃｙまでを結合して最終的に決定した一つの決定符号語列を出力している。【選択図】      図７
2004165738.tif 000002
【特許請求の範囲】
【請求項１】
ｐビットの入力データ語をｑビットの符号語に変換し、且つ、隣り合う符号語間にｒビットの結合ビットを付加して符号語列を生成し、この符号語列を出力する変調装置において、
ｐビットの前記入力データ語をｑビットの前記符号語に変換する際に、一つの符号語に続く次の符号語と、次の次の符号語とを少なくとも先読みする変調手段と、
前記一つの符号語と前記次の符号語との間に前記ｒビットによる複数組の結合ビットを所定のランレングス制限規則を厳守せずに仮に付加して複数組の符号語列を生成し、更に、前記複数組の符号語列中の前記次の符号語と少なくとも前記次の次の符号語との間にも前記ｒビットによる複数組の結合ビットを所定のランレングス制限規則を厳守せずに仮に付加して、少なくとも前記一つの符号語から前記次の次の符号語までの符号語列を多数組生成する結合ビット付加手段と、
前記結合ビット付加手段で生成した多数組の前記符号語列の各ＤＳＶ値を演算するＤＳＶ値演算手段と、
前記ＤＳＶ値演算手段で得られた多数組の前記符号語列の各ＤＳＶ値のうちで、ＤＳＶ値の絶対値が一番零に近い一つの組の前記符号語列を選択する比較・選択手段と、
前記比較・選択手段で選択した前記一つの組の前記符号語列中における前記一つの符号語と前記次の符号語との間に付加した結合ビットを用い、前記一つの符号語から前記結合ビットを介して前記次の符号語までを結合して最終的に決定した一つの決定符号語列を出力する決定符号語列出力手段とを備えことを特徴とする変調装置。
【請求項２】
請求項１記載の変調装置において、
前記符号語列に対してランレングス制限規則ＲＬＬ（ｄ，ｋ）に基づいて設定された最大ランレングス（ｋ＋１）Ｔを厳守せずに最大ランレングス（ｋ＋２）Ｔを許容して前記隣り合う符号語間に前記ｒビットの結合ビットを付加することを特徴とする変調装置。
【請求項３】
請求項１ないしは請求項２記載の変調装置において、
ランレングス制限規則ＲＬＬ（ｄ，ｋ）を厳守して出力される符号語列には特定の周波数の成分を含むことになる特定データを、前記入力データ語として所定の期間に亘って入力し、且つ、その期間は前記符号語列に対してランレングス制限規則ＲＬＬ（ｄ，ｋ）を厳守せずに出力することを特徴とする変調装置。
【請求項４】
請求項３記載の変調装置において、
前記特定データは聴感上判別できない交流信号データ又は直流信号データであることを特徴とする変調装置。
【請求項５】
請求項３記載の変調装置において、
前記入力データ語を音楽情報とし、且つ、聴感上判別できない前記特定データを所定の期間に亘って入力する場合に、前記特定データを曲と曲との間に形成される無音区間内に挿入したことを特徴とする変調装置。
【請求項６】
請求項３記載の変調装置において、
前記入力データ語を音楽情報とし、且つ、聴感上判別できない前記特定データを所定の期間に亘って入力する場合に、前記特定データを曲と曲との間に形成される無音区間内にあって、且つ、インデックス番号００の区間を除いた区間内に挿入したことを特徴とする変調装置。
【請求項７】
ｐビットの入力データ語をｑビットの符号語に変換し、且つ、隣り合う符号語間にｒビットの結合ビットを付加して符号語列を生成し、この符号語列を出力する変調方法において、
ｐビットの前記入力データ語をｑビットの前記符号語に変換する際に、一つの符号語に続く次の符号語と、次の次の符号語とを少なくとも先読みする第１ステップと、
前記一つの符号語と前記次の符号語との間に前記ｒビットによる複数組の結合ビットを所定のランレングス制限規則ＲＬＬ（ｄ，ｋ）を厳守せずに仮に付加して複数組の符号語列を生成し、更に、前記複数組の符号語列中の前記次の符号語と少なくとも前記次の次の符号語との間にも前記ｒビットによる複数組の結合ビットを所定のランレングス制限規則ＲＬＬ（ｄ，ｋ）を厳守せずに仮に付加して、少なくとも前記一つの符号語から前記次の次の符号語までの符号語列を多数組生成する第２ステップと、
前記第２ステップで生成した多数組の前記符号語列の各ＤＳＶ値を演算する第３ステップと、
前記第３ステップで得られた多数組の前記符号語列の各ＤＳＶ値のうちで、ＤＳＶ値の絶対値が一番零に近い一つの組の前記符号語列を選択する第４ステップと、
前記第４ステップで選択した前記一つの組の前記符号語列中における前記一つの符号語と前記次の符号語との間に付加した結合ビットを用い、前記一つの符号語から前記結合ビットを介して前記次の符号語までを結合して最終的に決定した一つの決定符号語列を出力する第５ステップとからなることを特徴とする変調方法。
【請求項８】
請求項７記載の変調方法において、
前記符号語列に対してランレングス制限規則ＲＬＬ（ｄ，ｋ）に基づいて設定された最大ランレングス（ｋ＋１）Ｔを厳守せずに最大ランレングス（ｋ＋２）Ｔを許容して前記隣り合う符号語間に前記ｒビットの結合ビットを付加することを特徴とする変調方法。
【請求項９】
請求項７ないしは請求項８記載の変調方法において、
ランレングス制限規則ＲＬＬ（ｄ，ｋ）を厳守して出力される符号語列には特定の周波数の成分を含むことになる特定データを、前記入力データ語として所定の期間に亘って入力し、且つ、その期間は前記符号語列に対してランレングス制限規則ＲＬＬ（ｄ，ｋ）を厳守せずに出力することを特徴とする変調方法。
【請求項１０】
請求項９記載の変調方法において、
前記特定データは聴感上判別できない交流信号データ又は直流信号データであることを特徴とする変調方法。
【請求項１１】
請求項９記載の変調方法において、
前記入力データ語を音楽情報とし、且つ、聴感上判別できない前記特定データを所定の期間に亘って入力する場合に、前記特定データを曲と曲との間に形成される無音区間内に挿入したことを特徴とする変調方法。
【請求項１２】
請求項９記載の変調方法において、
前記入力データ語を音楽情報とし、且つ、聴感上判別できない前記特定データを所定の期間に亘って入力する場合に、前記特定データを曲と曲との間に形成される無音区間内にあって、且つ、インデックス番号００の区間を除いた区間内に挿入したことを特徴とする変調方法。
【請求項１３】
請求項１〜請求項６記載の変調装置、ないしは請求項７〜請求項１２記載の変調方法のいずれかによって符号化した前記符号語列を記録した記録媒体。
【発明の詳細な説明】
【０００１】
【発明の属する技術分野】
本発明は、光ディスクとかディジタル用磁気テープなどの記録媒体に収録したディジタル情報信号のコピーを未然に防止するための変調装置、変調方法、記録媒体に関するものである。
【０００２】
【従来の技術】
ディジタル・マルチメディア時代の到来と共に、大容量のディジタル情報信号が光ディスクとか、ディジタル用磁気テープに収録されている。
【０００３】
例えば、音楽情報を収録したＣＤ（Ｃｏｍｐａｃｔ  Ｄｉｓｃ）とか、コンピューターデータを収録したＣＤ−ＲＯＭ（ＣＤ−Ｒｅａｄ  Ｏｎｌｙ  Ｍｅｍｏｒｙ）などの再生専用型の光ディスクは、円盤状のディスク基板上で螺旋状又は同心円状に形成したトラックに上記した各種のディジタル情報信号を高密度に記録でき、しかも再生時に所望のトラックを高速にアクセスできると共に、大量生産に適し且つ安価に入手できることから多用されている。
【０００４】
また、ＰＣＭ音楽情報などを収録したディジタル用磁気テープは、光ディスクよりも長時間に亘って再生できることから多用されている。
【０００５】
尚、以下の説明では、ディジタル情報信号を記録する記録媒体として光ピックアップを用いて記録及び／又は再生する光ディスクについて説明するが、ディジタル用磁気テープの場合には記録及び／又は再生する際に磁気ヘッドを用いる点が大きく異なるだけであるので、ディジタル用磁気テープの場合については説明を省略する。
【０００６】
上記したＣＤ，ＣＤ−ＲＯＭなどの光ディスクは、ディジタル情報信号を凹状のピットと凸状のランドとでディジタル的なピット列に変換して、このピット列を螺旋状又は同心円状の記録トラックとして刻んで信号面が記録されたスタンパ盤を射出成型機内に取り付けた後に、スタンパ盤の信号面を透明な樹脂材を用いて外径１２０ｍｍ又は８０ｍｍ，中心孔の孔径１５ｍｍ，基板厚み１．２ｍｍである円盤状の透明ディスク基板に転写させており、更に、転写した信号面上に反射膜，保護膜を順に成膜して、再生専用型に形成されている。
【０００７】
そして、再生専用型の光ディスクを再生する時には、光ディスクドライブ内に移動自在に設けた光ピックアップからの再生用レーザービームを透明ディスク基板側から信号面上に照射して、信号面上に成膜した反射膜からのレーザービームの戻り光で信号面を再生している。
【０００８】
ところで、ＣＤに収録されている音楽情報とか、ＣＤ−ＲＯＭに収録されているコンピューターデータは著作権法により著作権を保護されているものの、ディジタル的な情報であるために信号の劣化がなく、ユーザーは著作権者の許諾を得ずにそのまま１回だけ書き込み可能なＣＤ−Ｒ（Ｃｏｍｐａｃｔ  Ｄｉｓｃ−Ｒｅｃｏｒｄａｂｌｅ）とか、複数回書き込み可能なＣＤ−ＲＷ（ＣｏｍｐａｃｔＤｉｓｃ−ＲｅＷｒｉｔａｂｌｅ）などの追記型の光ディスクにコピーすることが可能となっている。
【０００９】
上記したＣＤ−Ｒ，ＣＤ−ＲＷなどの追記型の光ディスクは、外観形状がＣＤ，ＣＤ−ＲＯＭなどの再生専用型の光ディスクと略同じであるものの、透明ディスク基板上に凹状の溝を螺旋状又は同心円状に形成し、この凹状の溝側に記録層となる有機色素をスピンコートし、更に、この有機色素上に反射膜，保護膜を順に成膜して形成されているものであり、しかも、安価に入手可能になっている。
【００１０】
そして、ＣＤに収録されている音楽情報や、ＣＤ−ＲＯＭに収録されているコンピューターデータを、ＣＤ−Ｒ又はＣＤ−ＲＷにコピーした場合に、ＣＤ，ＣＤ−ＲＯＭと同じ信号フォーマットで記録されるために、著作権を侵害することになってしまう。
【００１１】
以下、周知のＣＤに収録されている音楽情報の符号語列について説明する。
図１はＣＤに収録されている音楽情報の信号フォーマットについて説明するための図であり、（ａ）は音楽元データを示し、（ｂ）はＥＦＭ信号を示した図、図２は８−１４変調時の符号化テーブルを示した図、
図３（ａ），（ｂ）は８−１４変調時のＤＳＶ制御を説明するための図である。
【００１２】
まず、音楽情報は、ＣＤの規格書「Ｒｅｄ  Ｂｏｏｋ」又はＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）９０８規格に準拠した信号フォーマットにてＣＤに記録されている。
【００１３】
この際、一般的に、光ディスクに記録されるピット長は、記録再生の光伝送特性や、ピット生成に関わる物理的な制約から最小ランレングス（最小ピット長又は最小ランド長）の制限、クロック再生のしやすさから最大ランレングス（最大ピット長又は最大ランド長）の制限、さらにはサーボ帯域などの保護のために、記録信号の低域成分や直流成分の抑圧特性を持つように記録信号を変調する必要がある。
【００１４】
この制限を満たす変調方式のうち、ＣＤに用いられているＥＦＭ（Ｅｉｇｈｔｔｏ  Ｆｏｕｒｔｅｅｎ  Ｍｏｄｕｌａｔｉｏｎ：８−１４変調）方式は、最小ランレングスを３Ｔ（Ｔ＝チャネルビットの周期）、最大ランレングスを１１Ｔとしたものである。
【００１５】
即ち、図１（ａ）に示した如く、ＣＤに記録する音楽元データＡＤはディジタルデータであり、上位８ビット（１バイト）＋下位８ビット（１バイト）＝１６ビット（２バイト）で１単位が構成され、この１単位が複数連続して音楽元データＡＤが構成されている。
【００１６】
そして、マスタリング時に図１（ａ）に示した音楽元データＡＤをレーザービームによりガラス原盤に記録する時には、記録に適した信号形態となるように、音楽元データＡＤをＥＦＭ方式の信号フォーマットに変換して、図１（ｂ）に示したＥＦＭ信号１の形態でガラス原盤上に記録し、この後、ガラス原盤を基にして電鋳処理によりメタルマスター盤，マザー盤，スタンパ盤を順次作製し、この後、スタンパ盤を射出成型機内に取り付けて、スタンパ盤の信号面を透明ディスク基板に転写してＣＤを作製しているので、ＣＤの信号面はガラス原盤の信号面と等価である。
【００１７】
ここで、上記したＥＦＭ信号１のフォーマットでは、入力した音楽元データＡＤを上位８ビットの入力データ語Ｄと下位８ビットの入力データ語Ｄとに別けて、図２に示した符号化テーブルを参照して、ｐビット＝８ビットの入力データ語Ｄを最小ランレングスが３Ｔ、最大ランレングスが１１Ｔになる所定のランレングス制限規則を満たすようなｑビット＝１４ビットのランレングスリミッテッドコード（以下、符号語Ｃと記す）に変換し、且つ、図１（ｂ）に示したように、変換した符号語Ｃと符号語Ｃとの間にランレングス制限規則保持用及びＤＳＶ（Ｄｉｇｉｔａｌ  Ｓｕｍ  Ｖａｌｕｅ）制御用としてｒビット＝３ビットの結合ビット１ｂを付加して後述する第１，第２符号語列１ｄ，１ｆを形成したものをＥＦＭ信号１として生成している。
【００１８】
この際、所定のランレングス制限規則を満たした時に、最小ランレングスが３Ｔでは符号語Ｃ中の論理値「１」と「１」との間に「０」の数が最小でｄ＝２個含まれており、一方、最大ランレングスが１１Ｔでは符号語Ｃ中の論理値「１」と「１」との間に「０」の数が最大でｋ＝１０個含まれている。言い換えると、ランレングス制限規則ＲＬＬ（ｄ，ｋ）＝ＲＬＬ（２，１０）を満たした時に、このランレングス制限規則ＲＬＬ（ｄ，ｋ）＝ＲＬＬ（２，１０）に基づいて最小ランレングスは（ｄ＋１）Ｔ＝３Ｔと設定され、且つ、最大ランレングスは（ｋ＋１）Ｔ＝１１Ｔと設定される。そして、隣り合う符号語Ｃ，Ｃ間に３ビットの結合ビット１ｂを付加して結合した第１，第２符号語列１ｄ，１ｆは、最小ランレングス（ｄ＋１）Ｔ＝３Ｔ〜最大ランレングス（ｋ＋１）Ｔ＝１１Ｔを満たすことになり、後述するように第１，第２符号語列１ｄ，１ｆに対してＮＲＺＩ変換を行った際に、最小ランレングス３Ｔは最小反転間隔を、一方、最大ランレングス１１Ｔは最大反転間隔を表すことになる。
【００１９】
そして、ｐ−ｑ変調＝８−１４変調されたＥＦＭ信号１は、最小ランレングスが３Ｔ、最大ランレングスが１１Ｔになるランレングス制限規則ＲＬＬ（ｄ，ｋ）＝ＲＬＬ（２，１０）を満たしながらＥＦＭ信号１の直流成分や低周波成分を減少させることができる。
【００２０】
更に、第１，第２符号語列１ｄ，１ｆを含むＥＦＭ信号１に対してＮＲＺＩ（Ｎｏｎ  Ｒｅｔｕｒｎ  ｔｏ  Ｚｅｒｏ  Ｉｎｖｅｒｔｅｄ）変換を行っており、ＮＲＺＩ変換は、周知の如く、ビット「１」において極性を反転し、ビット「０」において極性を反転せずに変調を行うものであるから、ＮＲＺＩ変換後の波形がガラス原盤への記録信号Ｒとなり、この記録信号Ｒ中のＬ（ロー）レベル区間を例えば凹状のピット（又は凸状のランド）に対応させ、記録信号Ｒ中のＨ（ハイ）レベル区間を例えば凸状のランド（又は凹状のピット）に対応させてピット列を形成している。
【００２１】
また、図３（ａ），（ｂ）に示したように、上記したＤＳＶは、ＥＦＭ信号１中の符号語列の開始時点から現時点までをＮＲＺＩ変換した後の波形がＨ（ハイ）レベルの時に“１”（正極性）とし、Ｌ（ロー）レベルの時に“−１”（負極性）として積分した積分値である。この際、ＮＲＺＩ変換では、データビット“１”で極性反転を行うために、符号語が同一ビットパターンであっても、符号語を接続する直前のＮＲＺＩ変換した後の波形状態によって異なり、図３（ａ）に示したように入力データ語＝００２に対して直前の波形状態がＬ（ロー）レベルの時と、図３（ｂ）に示したように入力データ語＝００２に対して直前の波形状態がＨ（ハイ）レベルの時とでＤＳＶ値が反転するものであり、例えば、入力データ語＝００２と入力データ語＝２５３とを結合ビットを介して結合した時に図３（ａ），図３（ｂ）による両者のＤＳＶの絶対値は同じになる。
【００２２】
ここで、ランレングス制限規則ＲＬＬ（ｄ，ｋ）＝ＲＬＬ（２，１０）を満たしながらＤＳＶの絶対値が略零に近付くように隣り合う符号語Ｃ，Ｃ間に３ビットの結合ビット１ｂとして、（０００），（００１），（０１０），（１００）の組のうちでいずれかの組を選択して付加することで、記録信号Ｒの波形の直流成分を少なくし、結果的に記録信号Ｒの波形を長い期間でみて、Ｈ（ハイ）レベル区間とＬ（ロー）レベル区間とが略同じ割合で現れることにより、凹状のピットの区間と凸状のランドの区間も略同じ割合で現れるようにＤＳＶ値を制御している。
【００２３】
図１（ｂ）に戻り、上記したＥＦＭ信号１の１フレームは、先頭から同期信号１ａ、結合ビット１ｂ、サブコード１ｃ、結合ビット１ｂ、第１符号語列１ｄ、結合ビット１ｂ、Ｃ２エラー訂正コード１ｅ、結合ビット１ｂ、第２符号語列１ｆ、結合ビット１ｂ、Ｃ１エラー訂正コード１ｇ、結合ビット１ｂの順に配置され、且つ、この１フレーム合計で５８８個のチャンネルビットで構成されている。
【００２４】
ここで、先頭に配置した同期信号１ａは、２４ビットを用いてフレームの先頭を示すために１１Ｔ，１１Ｔ，２Ｔの信号として上記した各信号１ｂ〜１ｇに対して識別できるようになっている。
【００２５】
また、同期信号１ａの後で３ビットの結合ビット１ｂを介して配置したサブコード１ｃは、ＣＤへの再生制御を行うための信号となっている。
【００２６】
また、サブコード１ｃの後に３ビットの結合ビット１ｂを介して配置した第１符号語列１ｄは、ｐ＝８ビットの各入力データ語Ｄ（各音楽元データ）を図２に示した符号化テーブルを参照してｑ＝１４ビットの各符号語Ｃに変換し、且つ、隣り合う符号語Ｃ，Ｃ間に３ビットの結合ビット１ｂを付加することで、１２個の符号語Ｃ（１２シンボル）と１１個の結合ビット１ｂとで構成されている。
【００２７】
また、第１符号語列１ｄの後に３ビットの結合ビット１ｂを介して配置したＣ２エラー訂正コード１ｅは、ＣＤ再生時にＥＦＭ信号１の第１符号語列１ｄと第２符号語列１ｆとに対してエラー訂正を行うものである。
【００２８】
また、Ｃ２エラー訂正コード１ｅの後に３ビットの結合ビット１ｂを介して配置した第２符号語列１ｆは、上記した第１符号語列１ｄと同様に１２個の符号語Ｃ（１２シンボル）と１１個の結合ビット１ｂとで構成されている。
【００２９】
更に、第２符号語列１ｆの後に３ビットの結合ビット１ｂを介して配置したＣ１エラー訂正コード１ｇは、ＣＤ再生時にＥＦＭ信号１の第１符号語列１ｄと第２符号語列１ｆとＣ２エラー訂正コード１ｅとに対してエラー訂正を行うものである。
【００３０】
そして、上記したＥＦＭ信号１の１フレームに対してＮＲＺＩ変換した後の記録信号を、９８個（＝９８フレーム）連続させることで音楽の単位となる１ブロックが構成されており、この１ブロックは１／７５秒の期間に相当するものである。
【００３１】
尚、コンピューターデータを収録したＣＤ−ＲＯＭの場合には、図１（ａ）に示した音楽元データをコンピューター元データに名称を変更すれば良いだけであるので、説明を省略する。
【００３２】
ここで、従来の変調装置について図４及び図５を用いて説明する。
【００３３】
図４は従来の変調装置を説明するために模式的に示したブロック図、
図５（ａ）〜（ｃ）は従来の変調装置を用いて所定のランレングス制限規則を厳守しながら一つの符号語とこれに続く次の符号語との間に結合ビットを付加して符号語列を生成する場合に、結合ビットとして（０００），（００１），（０１０），（１００）を仮に付加した時に、複数組の符号語列のＤＳＶ値を演算した状態を説明するための図である。
【００３４】
図４に示した従来の変調装置２０は、ＣＤを作製するためのガラス原盤記録機（図示せず）と、ＣＤに収録された音楽情報をＣＤ−ＲにコピーするためのＣＤ−Ｒドライブ（図示せず）とに適用されているものであり、８−１４変調回路２１と、結合ビット付加回路２２と、ＤＳＶ値演算回路２３と、ＤＳＶ値比較回路・結合ビット選択回路２４とで概略構成されている。
【００３５】
そして、従来の変調装置２０では、１６ビットの音楽元データＡＤを上位８ビットと下位８ビットとに別けて８ビットの各入力データ語Ｄを１４ビットの各符号語Ｃに変換して、例えば一つの符号語Ｃｘとこれに続く次の符号語Ｃｙとの間にランレングス制限規則ＲＬＬ（２，１０）を満たすような３ビットによる複数組の結合ビット１ｂを仮に付加して複数組の符号語列を生成し、これら複数組の符号語列の各ＤＳＶ値のうちでＤＳＶの絶対値が一番零に近い一つの組の符号語列を選択することで、この一つの組の符号語列を最終的に決定した一つの決定符号語列として出力するようになっている。
【００３６】
より具体的に説明すると、従来の変調装置２０では、１６ビットの音楽元データＡＤが８−１４変調回路２１に時系列順に入力されている。
【００３７】
上記した８−１４変調回路２１内では、入力した音楽元データＡＤを先に図１（ａ）で説明したように上位８ビットの入力データ語Ｄと下位８ビットの入力データ語Ｄとに時系列順に分離して、８ビットの各入力データ語Ｄを図２に示した符号化テーブルに基づいて１４ビットの符号語Ｃに順次変換する際に、例えば一つの符号語Ｃｘと、一つの符号語Ｃｘに続く次の符号語Ｃｙとを順に読み込んでいる。そして、一つの符号語Ｃｘと次の符号語Ｃｙとを８−１４変調回路２１から結合ビット付加回路２２に入力している。
【００３８】
次に、結合ビット付加回路２２は、ＣＤ規格上のランレングス制限規則ＲＬＬ（２，１０）に基づいて設定された最小ランレングス３Ｔ〜最大ランレングス１１Ｔを厳守して隣り合う符号語Ｃ，Ｃ間に３ビットの結合ビット１ｂを付加する機能を備えており、この結合ビット付加回路２２内には３ビットの結合ビット１ｂの候補として、（０００），（００１），（０１０），（１００）の４組が用意されている。尚、３ビットの結合ビット１ｂは８通りあるものの、上記した４組以外の組（０１１），（１０１），（１１０），（１１１）は“１”が２個以上連続して現れたり、あるいは、“１”と“０”とが交互に現れるためにランレングス制限規則ＲＬＬ（２，１０）を満たさないので利用できないものである。
【００３９】
そして、結合ビット付加回路２２内に順次入力された符号語Ｃｘと符号語Ｃｙとを結合するために、符号語Ｃｘ，Ｃｙ間に４組の結合ビット（０００），（００１），（０１０），（１００）を仮に付加して複数組の符号語列を生成している。
【００４０】
この際、図５に示したように、例えば、一つの符号語Ｃｘは１２ビット目から１４ビット目が「０１０」であり、一方、次の符号語Ｃｙは「００１０００１０００００１０」である。そして、一つの符号語Ｃｘの１３ビット目が“１”であり、次の符号語Ｃｙの３ビット目が“１”であるので、上記した４組の結合ビット１ｂのうちで第１〜第３組の結合ビット（０００），（００１），（０１０）はランレングス制限規則ＲＬＬ（２，１０）を厳守できるものの、第４組の結合ビット（１００）はランレングス制限規則ＲＬＬ（２，１０）を満足しないのでこの結合ビット（１００）の付加を中止する。
【００４１】
そして、符号語Ｃｘ，Ｃｙ間に３組の結合ビット（０００），（００１），（０１０）を付加した後に、３組の符号語列｛Ｃｘ（０００）Ｃｙ｝，｛Ｃｘ（００１）Ｃｙ｝，｛Ｃｘ（０１０）Ｃｙ｝をＤＳＶ値演算回路２３に入力して３組の符号語列の各ＤＳＶ値を演算すると、図５（ａ）に示したケース１のように符号語Ｃｘ，Ｃｙ間に結合ビット（０００）を付加した場合には符号語列｛Ｃｘ（０００）Ｃｙ｝のＤＳＶ値が＋２となり、図５（ｂ）に示したケース２のように符号語Ｃｘ，Ｃｙ間に結合ビット（００１）を付加した場合には符号語列｛Ｃｘ（００１）Ｃｙ｝のＤＳＶ値が−４となり、図５（ｃ）に示したケース３のように符号語Ｃｘ，Ｃｙ間に結合ビット（０１０）を付加した場合には符号語列｛Ｃｘ（０１０）Ｃｙ｝のＤＳＶ値が−６となる。
【００４２】
この後、ＤＳＶ値演算回路２３からの３組の符号語列とこれらに対応した各ＤＳＶ値がＤＳＶ値比較回路・結合ビット選択回路２４に入力され、このＤＳＶ値比較回路・結合ビット選択回路２４で３組の符号語列の各ＤＳＶ値のうちでＤＳＶの絶対値が一番零に近付くようなＤＳＶ値＝＋２を有する一つの組の符号語列｛Ｃｘ（０００）Ｃｙ｝を選択して、この一つの組の符号語列｛Ｃｘ（０００）Ｃｙ｝を一つの決定符号語列としてＤＳＶ値比較回路・結合ビット選択回路２４から出力している。言い換えると、ＤＳＶ値比較回路・結合ビット選択回路２４では、ＤＳＶの絶対値が一番零に近い一つの決定符号語列｛Ｃｘ（０００）Ｃｙ｝と対応した結合ビット（０００）を選択したことになる。以下、次の符号語Ｃｙに続けて上記手順を繰り返して、一つの決定符号語列｛Ｃｘ（０００）Ｃｙ………｝を得ている。
【００４３】
この後、ＤＳＶ値を制御された一つの決定符号語列｛Ｃｘ（０００）Ｃｙ………｝を記録に適した記録信号Ｒ（図１）に生成して、レーザービームによりＣＤ用のガラス原盤又はＣＤ−Ｒに記録している。
【００４４】
そして、ＣＤ用のガラス原盤を基にしてスタンパ盤（図示せず）を作製し、このスタンパ盤を用いてＣＤを作製している。
【００４５】
上記からユーザーは、図示しないパソコン内のハードディスク（図示せず）に記憶させたコピー用ソフトに従ってコピーしたい音楽情報を収録したＣＤをＣＤドライブ（図示せず）で再生し、このＣＤドライブから出力され且つＣＤ−Ｒに記録したい音楽情報をＣＤ−Ｒドライブ（図示せず）に入力して、ＣＤ−Ｒドライブ内に設けた従来の変調装置２０によりコピーしたい音楽情報を著作権者の許諾を得ずにそのままＣＤ−Ｒにコピーすることが可能となっている。
【００４６】
従って、ＣＤドライブから出力された１６ビットの音楽元データＡＤをＣＤ−Ｒドライブ内に設けた従来の変調装置２０で符号化した場合に、ＣＤ−Ｒに記録された音楽情報はＣＤに収録された音楽情報と全く同じＥＦＭ信号形態となるので、コピーしたＣＤ−Ｒは更にコピー可能となり、世の中に大量に出回ってしまう。
【００４７】
そこで、上記したように、ＣＤに収録した音楽情報とか、ＣＤ−ＲＯＭに収録したコンピューターデータを、記録再生可能なＣＤ−Ｒ，ＣＤ−ＲＷにコピーすることを防止することができる光ディスクの一例がある（例えば、特許文献１参照）。
【００４８】
【特許文献１】
特開２００１−３５７５３６号公報（第４−５頁、第４図）
【００４９】
図６は従来例の一例として、コピー防止対策を施した光ディスクを示した縦断面図である。
【００５０】
図６に示した従来の光ディスク１００は、上記した特許文献１（特開２００１−３５７５３６号公報）に開示されているものであり、同号公報を参照して簡略に説明すると、ＣＤ−ＲＯＭ，ＤＶＤ−ＲＯＭなどの光ディスクに対してコピー防止対策を施した従来の光ディスク１００では、通常、ランレングス制限規則（同号公報中にはランレングス抑制型符号化方式と記載されている）に基づいて３Ｔ〜１４Ｔ（Ｔは０．１３３μｍ）の連続長さを有する凹凸部列が形成されているものの、この途中に、ランレングス制限規則に基づく最小ランレングスよりもさらに短い連続長さを有する凹部又は凸部が記録されていることを特徴とするものである。
【００５１】
具体的には、図６に示した如く、ピットＡは１Ｔ〜２Ｔの長さで凸状に形成され、このピットＡからＸ離れた位置にピットＢが１Ｔ〜２Ｔの長さで凹状に形成されており、ピットＡ及びピットＢの長さはランレングス制限規則に基づかない値である。
【００５２】
従って、従来の光ディスク１００では、最小ランレングス３Ｔと最大ランレングス１４Ｔとによるランレングス制限規則のうちで、最小ランレングス３Ｔ側を厳守せずに、これより小さな値である１Ｔ〜２Ｔに設定することで、光ディスク１００上の最小ピット長（又は最小ランド長）が通常より小さく形成されている。
【００５３】
【発明が解決しようとする課題】
そこで、上記した従来の光ディスク１００の技術的思想を、ＣＤ規格上のランレングス制限規則ＲＬＬ（２，１０）に基づいて３Ｔ〜１１Ｔの連続長さを有する凹凸部列（ピット列）が形成された周知のＣＤに適用してＣＤの信号形態の一部を改変するには、例えば図２に示した符号化テーブルにおいて、入力データ語Ｄ＝２５５に対する符号語Ｃは“００１００００００１００１０”となっているが、１Ｔのような短い凹凸部列（ピット列）を形成したいときには、これに代えて“００１００１１００１００１０”といった符号語Ｃを用いることによって、改変したＣＤを作製することができる。
【００５４】
このように改変したＣＤを市販の光ディスクドライブで再生した時には、データ中の１Ｔ〜２Ｔという短い連続長からなる証明用ピットは、３Ｔ〜１１Ｔという通常のピット長（ランド長）より短いために、光ピックアップを用いて読み取った際のＲＦ信号は、十分な明レベル、又は、十分な暗レベルに達せず、ＲＦ信号から得られる２値化信号には１Ｔ〜２Ｔの証明用ピット信号が含まれないので、再生している光ディスクがオリジナルか否かの判定ができない。さらに、改変したＣＤに記録されている音楽データを市販の光ディスクドライブで再生し、この再生データをＣＤ−Ｒドライブに入力してＣＤ−Ｒにコピーしたときには、問題なく音楽データがコピーされてしまう。
【００５５】
従って、光ディスク１００のように証明用ピットを検出できる新たなプレーヤの普及を前提としたコピー防止の手段は、ＣＤのように、既に市場にプレーヤやＣＤ−Ｒドライブが数多く出回っている状況においては適用できないといった問題を抱えている。
【００５６】
また、光ディスクの場合と同様に、ディジタル用磁気テープに収録したディジタル情報信号もコピーされるといった問題を抱えている。
【００５７】
そこで、所定のランレングス制限規則を厳守せずに符号語列を生成した場合に、この符号語列を記録したオリジナル記録媒体を既に市販されているプレーヤで確実に再生できる一方、このオリジナル記録媒体をコピーしたコピー記録媒体では再生不良となるようにすることで、光ディスクとかディジタル用磁気テープなどの記録媒体に収録したディジタル情報信号のコピーを未然に防止できる変調装置、変調方法、記録媒体が望まれている。
【００５８】
【課題を解決するための手段】
本発明は上記課題に鑑みてなされたものであり、第１の発明は、ｐビットの入力データ語をｑビットの符号語に変換し、且つ、隣り合う符号語間にｒビットの結合ビットを付加して符号語列を生成し、この符号語列を出力する変調装置において、
ｐビットの前記入力データ語をｑビットの前記符号語に変換する際に、一つの符号語に続く次の符号語と、次の次の符号語とを少なくとも先読みする変調手段と、
前記一つの符号語と前記次の符号語との間に前記ｒビットによる複数組の結合ビットを所定のランレングス制限規則ＲＬＬ（ｄ，ｋ）を厳守せずに仮に付加して複数組の符号語列を生成し、更に、前記複数組の符号語列中の前記次の符号語と少なくとも前記次の次の符号語との間にも前記ｒビットによる複数組の結合ビットを所定のランレングス制限規則ＲＬＬ（ｄ，ｋ）を厳守せずに仮に付加して、少なくとも前記一つの符号語から前記次の次の符号語までの符号語列を多数組生成する結合ビット付加手段と、
前記結合ビット付加手段で生成した多数組の前記符号語列の各ＤＳＶ値を演算するＤＳＶ値演算手段と、
前記ＤＳＶ値演算手段で得られた多数組の前記符号語列の各ＤＳＶ値のうちで、ＤＳＶ値の絶対値が一番零に近い一つの組の前記符号語列を選択する比較・選択手段と、
前記比較・選択手段で選択した前記一つの組の前記符号語列中における前記一つの符号語と前記次の符号語との間に付加した結合ビットを用い、前記一つの符号語から前記結合ビットを介して前記次の符号語までを結合して最終的に決定した一つの決定符号語列を出力する決定符号語列出力手段とを備えことを特徴とする変調装置である。
【００５９】
第２の発明は、上記した第１の発明の変調装置において、
前記符号語列に対してランレングス制限規則ＲＬＬ（ｄ，ｋ）に基づいて設定された最大ランレングス（ｋ＋１）Ｔを厳守せずに最大ランレングス（ｋ＋２）Ｔを許容して前記隣り合う符号語間に前記ｒビットの結合ビットを付加することを特徴とする変調装置である。
【００６０】
また、第３の発明は、上記した第１ないしは第２の発明の変調装置において、ランレングス制限規則ＲＬＬ（ｄ，ｋ）を厳守して出力される符号語列には特定の周波数の成分を含むことになる特定データを、前記入力データ語として所定の期間に亘って入力し、且つ、その期間は前記符号語列に対してランレングス制限規則ＲＬＬ（ｄ，ｋ）を厳守せずに出力することを特徴とする変調装置である。
【００６１】
また、第４の発明は、上記した第３の発明の変調装置において、
前記特定データは聴感上判別できない交流信号データ又は直流信号データであることを特徴とする変調装置である。
【００６２】
また、第５の発明は、上記した第３の発明の変調装置において、
前記入力データ語を音楽情報とし、且つ、聴感上判別できない前記特定データを所定の期間に亘って入力する場合に、前記特定データを曲と曲との間に形成される無音区間内に挿入したことを特徴とする変調装置である。
【００６３】
また、第６の発明は、上記した第３の発明の変調装置において、
前記入力データ語を音楽情報とし、且つ、聴感上判別できない前記特定データを所定の期間に亘って入力する場合に、前記特定データを曲と曲との間に形成される無音区間内にあって、且つ、インデックス番号００の区間を除いた区間内に挿入したことを特徴とする変調装置である。
【００６４】
また、第７の発明は、ｐビットの入力データ語をｑビットの符号語に変換し、且つ、隣り合う符号語間にｒビットの結合ビットを厳守せずに付加して符号語列を生成し、この符号語列を出力する変調方法において、
ｐビットの前記入力データ語をｑビットの前記符号語に変換する際に、一つの符号語に続く次の符号語と、次の次の符号語とを少なくとも先読みする第１ステップと、
前記一つの符号語と前記次の符号語との間に前記ｒビットによる複数組の結合ビットを所定のランレングス制限規則ＲＬＬ（ｄ，ｋ）を厳守せずに仮に付加して複数組の符号語列を生成し、更に、前記複数組の符号語列中の前記次の符号語と少なくとも前記次の次の符号語との間にも前記ｒビットによる複数組の結合ビットを所定のランレングス制限規則ＲＬＬ（ｄ，ｋ）を厳守せずに仮に付加して、少なくとも前記一つの符号語から前記次の次の符号語までの符号語列を多数組生成する第２ステップと、
前記第２ステップで生成した多数組の前記符号語列の各ＤＳＶ値を演算する第３ステップと、
前記第３ステップで得られた多数組の前記符号語列の各ＤＳＶ値のうちで、ＤＳＶ値の絶対値が一番零に近い一つの組の前記符号語列を選択する第４ステップと、
前記第４ステップで選択した前記一つの組の前記符号語列中における前記一つの符号語と前記次の符号語との間に付加した結合ビットを用い、前記一つの符号語から前記結合ビットを介して前記次の符号語までを結合して最終的に決定した一つの決定符号語列を出力する第５ステップとからなることを特徴とする変調方法である。
【００６５】
また、第８の発明は、上記した第７の発明の変調方法において、
前記符号語列に対してランレングス制限規則ＲＬＬ（ｄ，ｋ）に基づいて設定された最大ランレングス（ｋ＋１）Ｔを厳守せずに最大ランレングス（ｋ＋２）Ｔを許容して前記隣り合う符号語間に前記ｒビットの結合ビットを付加することを特徴とする変調方法である。
【００６６】
また、第９の発明は、上記した第７ないしは第８の発明の変調方法において、ランレングス制限規則ＲＬＬ（ｄ，ｋ）を厳守して出力される符号語列には特定の周波数の成分を含むことになる特定データを、前記入力データ語として所定の期間に亘って入力し、且つ、その期間は前記符号語列に対してランレングス制限規則ＲＬＬ（ｄ，ｋ）を厳守せずに出力することを特徴とする変調方法である。
【００６７】
また、第１０の発明は、上記した第９の発明の変調方法において、
前記特定データは聴感上判別できない交流信号データ又は直流信号データであることを特徴とする変調方法である。
【００６８】
また、第１１の発明は、上記した第９の発明の変調方法において、
前記入力データ語を音楽情報とし、且つ、聴感上判別できない前記特定データを所定の期間に亘って入力する場合に、前記特定データを曲と曲との間に形成される無音区間内に挿入したことを特徴とする変調方法である。
【００６９】
また、第１２の発明は、上記した第９の発明の変調方法において、
前記入力データ語を音楽情報とし、且つ、聴感上判別できない前記特定データを所定の期間に亘って入力する場合に、前記特定データを曲と曲との間に形成される無音区間内にあって、且つ、インデックス番号００の区間を除いた区間内に挿入したことを特徴とする変調方法である。
【００７０】
また、第１３の発明は、上記した第１〜第６の変調装置、ないしは上記した第７〜第１２の変調方法のいずれかによって符号化した前記符号語列を記録した記録媒体である。
【００７１】
【発明の実施の形態】
以下に本発明に係る変調装置、変調方法、記録媒体の本実施例を図７乃至図１９を参照して詳細に説明する。
【００７２】
本発明に係る変調装置、変調方法、記録媒体では、例えばＣＤ規格に対応させた場合に、ｐビット＝８ビットの入力データ語をｑビット＝１４ビットの符号語Ｃに変換し、且つ、隣り合う符号語Ｃ，Ｃ間にｒビット＝３ビットの結合ビット１ｂを付加して図１（ｂ）に示したＥＦＭ信号１を生成する際に、一つの符号語に続く次の符号語と次の次の符号語とを少なくとも先読みし、且つ、ＣＤ規格上のランレングス制限規則ＲＬＬ（ｄ，ｋ）＝ＲＬＬ（２，１０）に基づいて設定された最小ランレングス（ｄ＋１）Ｔ＝３Ｔ〜最大ランレングス（ｋ＋１）Ｔ＝１１Ｔを厳守せずに、これに代えて最小ランレングス（ｄ＋１）Ｔ＝３Ｔ〜最大ランレングス（ｋ＋２）Ｔ＝１２Ｔを許容して、一つの符号語から次の符号語を経て少なくとも次の次の符号語までの符号語列のＤＳＶ値を考慮しながら一つの符号語と次の符号語との間の結合ビット１ｂを選択して付加した上で、一つの符号語から結合ビッ１ｂを介して次の符号語までの符号語列を最終的に決定した一つの決定符号語列として出力することを特徴とするものであり、更に、このＥＦＭ信号１を記録したオリジナル記録媒体を再生した時には、とくに後述する特定データからなるＥＦＭ信号１の第１，第２符号語列１ｄ，１ｆに対しても何等の支障もなく再生できる一方、このオリジナル記録媒体をコピーしたコピー記録媒体を再生した時には、コピーした特定データからなる第１，第２符号語列１ｄ，１ｆの再生信号には特定の周波数の成分が増加し再生不能におちいることを特徴とするものである。
【００７３】
ところで、とくに特定データからなる第１，第２符号語列１ｄ，１ｆを記録したオリジナル記録媒体では、従来のＣＤ規格を満足しない最大ランレングス１２Ｔによって形成されるピット（又はランド）を含んでいても、符号語Ｃ自体には影響がないのでデータの読取り誤りが発生することはない。
【００７４】
尚、以下に説明する本実施例では、ディジタル情報信号を収録した記録媒体の一例としてＣＤ，ＣＤ−ＲＯＭなどの光ディスクの場合について説明するが、前述したようにディジタル情報信号を収録したディジタル用磁気テープの場合にも本実施例の技術的思想を適用できるものである。
【００７５】
＜本実施例＞
図７は本発明に係る本実施例の変調装置、変調方法を説明するために模式的に示したブロック図、
図８〜図１０は本発明に係る本実施例の変調装置を用いて一つの符号語とこれに続く次の符号語との間に結合ビットを付加して符号語列を生成する場合に、ＣＤ規格上のランレングス制限規則を満足しない最大ランレングス１２Ｔを許容しながら、一つの符号語に続く次の符号語と次の次の符号語とを先読みして、多数組の符号語列の各ＤＳＶ値を演算した状態を説明するための図、
図１１は本発明に係る本実施例のオリジナルＣＤの場合と、オリジナルＣＤをコピーしたＣＤ−Ｒの場合とで、符号語列のＤＳＶ値変動に伴う周波数スペクトラムの差を示した図である。
【００７６】
図７に示した本発明に係る本実施例の変調装置３０は、ＣＤを作製するためのガラス原盤記録機（図示せず）に適用されているものであり、８−１４変調回路３１と、第１結合ビット付加回路３２Ａと、第１ＤＳＶ値演算回路３３Ａと、第２結合ビット付加回路３２Ｂと、第２ＤＳＶ値演算回路３３Ｂと、ＤＳＶ値比較回路・結合ビット選択回路３４と、決定符号語列出力回路３５とで概略構成されている。
【００７７】
尚、第１，第２結合ビット付加回路３２Ａ，３２Ｂは内部構造が同じであり、また、第１，第２ＤＳＶ値演算回路３３Ａ，３３Ｂも内部構造が同じであるので、本実施例の変調装置３０を動作させる制御ソフト次第で第１，第２結合ビット付加回路３２Ａ，３２Ｂと、ＤＳＶ値演算回路３３Ａ，３３Ｂとをそれぞれ別々に分離させずに結合ビット付加回路（３２…図示せず）とＤＳＶ値演算回路（３３…図示せず）として構成することも可能であるものの、ここでは説明を分かり易くするために上記のように分離させているものである。
【００７８】
そして、本実施例の変調装置３０では、１６ビットの音楽元データＡＤを上位８ビットと下位８ビットとに別けて８ビットの各入力データ語Ｄを１４ビットの各符号語Ｃに変換して、例えば一つの符号語Ｃｘとこれに続く次の符号語Ｃｙとの間に３ビットの結合ビット１ｂを付加してＥＦＭ信号１を生成する際に、一つの符号語Ｃｘに続く次の符号語Ｃｙと次の次の符号語Ｃｚとを少なくとも先読みし、且つ、一つの符号語Ｃｘと次の符号語Ｃｙとの間にランレングス制限規則ＲＬＬ（２，１０）を厳守せずに最小ランレングス３Ｔ〜最大ランレングス１２Ｔを許容しながら３ビットによる複数組の結合ビット１ｂを仮に付加して複数組の符号語列を生成し、更に、前記した複数組の符号語列中の次の符号語Ｃｙと少なくとも次の次の符号語Ｃｚとの間にもランレングス制限規則ＲＬＬ（２，１０）を厳守せずに最小ランレングス３Ｔ〜最大ランレングス１２Ｔを許容しながら３ビットによる複数組の結合ビット１ｂを仮に付加して、一つの符号語Ｃｘから次の符号語Ｃｙを経て少なくとも次の次の符号語Ｃｚまでの符号語列を多数組生成し、これら多数組の符号語列のうちでＤＳＶの絶対値が一番零に近い一つの組の符号語列を選択し、この一つの組の符号語列中における一つの符号語Ｃｘと次の符号語Ｃｙとの間に付加した結合ビット１ｂを用い、一つの符号語Ｃｘから上記結合ビット１ｂを介して次の符号語Ｃｙまでを結合して最終的に決定した一つの決定符号語列を出力している。
【００７９】
より具体的に説明すると、本実施例の変調装置３０では、１６ビットの音楽元データＡＤが８−１４変調回路３１に時系列順に入力されている。
【００８０】
上記した８−１４変調回路３１内では、入力した音楽元データＡＤを先に図１（ａ）で説明したように上位８ビットの入力データ語Ｄと下位８ビットの入力データ語Ｄとに時系列順に分離して、８ビットの各入力データ語Ｄを図２に示した符号化テーブルに基づいて１４ビットの符号語Ｃに順次変換する際に、先に図４で説明した従来例とは異なって、例えば一つの符号語Ｃｘを読み込むと共に、一つの符号語Ｃｘに続く次の符号語Ｃｙと次の次の符号語Ｃｚとを少なくとも先読みしている。
【００８１】
尚、以下では、一つの符号語Ｃｘに続く次の符号語Ｃｙと次の次の符号語Ｃｚまで先読みする場合の実施例について説明するが、これに限ることなく、ここでの図示を省略するものの、次の次の符号語Ｃｚよりも更に先の符号語を先読みすることも可能である。
【００８２】
そして、一つの符号語Ｃｘと次の符号語Ｃｙとを８−１４変調回路３１から第１結合ビット付加回路３２Ａに入力すると共に、次の符号語Ｃｙが出力された後に次の次の符号語Ｃｚを８−１４変調回路３１から後述する第２結合ビット付加回路３２Ｂに入力している。
【００８３】
次に、第１結合ビット付加回路３２Ａ内には、ＣＤ規格上のランレングス制限規則ＲＬＬ（２，１０）に基づいて設定された最小ランレングス３Ｔ〜最大ランレングス１１Ｔを厳守せずに、ここでは最小ランレングス３Ｔ〜最大ランレングス１２Ｔを許容しながら３ビットの結合ビット１ｂの候補として、（０００），（００１），（０１０），（１００）の４組が用意されている。この実施例でも、従来例と同様に、上記した４組以外の組（０１１），（１０１），（１１０），（１１１）は“１”が２個以上連続して現れたり、あるいは、“１”と“０”とが交互に現れるために最小ランレングス３Ｔを満たさないので削除されている。
【００８４】
そして、第１結合ビット付加回路３２Ａ内に入力された一つの符号語Ｃｘと、これに続く次の符号語Ｃｙとを結合するために、符号語Ｃｘ，Ｃｙ間に４組の結合ビット（０００），（００１），（０１０），（１００）を仮に付加して複数組の符号語列を生成している。
【００８５】
この際、図８〜図１０に示したように、本発明の要旨をわかり易く説明するために一つの符号語Ｃｘ及び次の符号語Ｃｙを従来と同じ値にそれぞれ設定した場合に、一つの符号語Ｃｘは１２ビット目から１４ビット目が「０１０」であり、一方、次の符号語Ｃｙは「００１０００１０００００１０」である。そして、一つの符号語Ｃｘの１３ビット目が“１”であり、次の符号語Ｃｙの３ビット目が“１”であるので、上記した４組の結合ビット１ｂのうちで第１〜第３組の結合ビット（０００），（００１），（０１０）は最小ランレングス３Ｔ〜最大ランレングス１２Ｔを満足しているので成立し、第４組の結合ビット（１００）は最小ランレングス３Ｔを満足しないので付加を中止する。
【００８６】
そして、符号語Ｃｘ，Ｃｙ間に３組の結合ビット（０００），（００１），（０１０）を付加した後に、３組の符号語列｛Ｃｘ（０００）Ｃｙ｝，｛Ｃｘ（００１）Ｃｙ｝，｛Ｃｘ（０１０）Ｃｙ｝を第１ＤＳＶ値演算回路３３Ａに入力して３組の符号語列の各ＤＳＶ値を演算すると、図８〜図１０に示したように符号語Ｃｘ，Ｃｙ間に結合ビット（０００）を付加した場合には符号語列｛Ｃｘ（０００）Ｃｙ｝のＤＳＶ値が＋２となり、結合ビット（００１）を付加した場合には符号語列｛Ｃｘ（００１）Ｃｙ｝のＤＳＶ値が−４となり、結合ビット（０１０）を付加した場合には符号語列｛Ｃｘ（０１０）Ｃｙ｝のＤＳＶ値が−６となる。この段階までは先に図４及び図５を用いて説明した従来例と同じであり、従来例ではこの段階でＤＳＶの絶対値が一番零に近い一つの組の符号語列｛Ｃｘ（０００）Ｃｙ｝を最終的に決定した一つの決定符号語列として選択しているものの、本実施例では前述したように一つの符号語Ｃｘに続く次の符号語Ｃｙと次の次の符号語Ｃｚとを先読みしているので、一つの符号語Ｃｘから次の符号語Ｃｙを経て次の次の符号語Ｃｚまでを結合した時のＤＳＶ値を考慮しながら一つの符号語Ｃｘと次の符号語Ｃｙとの間の結合ビット１ｂを選択して付加した上で、一つの符号語Ｃｘから結合ビット１ｂを介して次の符号語Ｃｙまでの符号語列を最終的に決定している。
【００８７】
そこで、第１ＤＳＶ値演算回路３３Ａで各ＤＳＶ値を演算した３組の符号語列｛Ｃｘ（０００）Ｃｙ｝，｛Ｃｘ（００１）Ｃｙ｝，｛Ｃｘ（０１０）Ｃｙ｝を第２結合ビット付加回路３２Ｂに入力している。
【００８８】
上記した第２結合ビット付加回路３２Ｂも第１結合ビット付加回路３２Ａと同様に、最小ランレングス３Ｔ〜最大ランレングス１２Ｔを満たす３ビットの結合ビット１ｂの候補として、（０００），（００１），（０１０），（１００）の４組が用意されている。
【００８９】
そして、第２結合ビット付加回路３２Ｂ内では、ここに入力した３組の符号語列｛Ｃｘ（０００）Ｃｙ｝，｛Ｃｘ（００１）Ｃｙ｝，｛Ｃｘ（０１０）Ｃｙ｝と、ここに入力した次の次の符号語Ｃｚとの間に、４組の結合ビット（０００），（００１），（０１０），（１００）をそれぞれ仮に付加して、第１結合ビット付加回路３２Ａの場合よりも組数が多い多数組の符号語列を生成している。この際、多数組の符号語列は、枝別れ構造（ツリー構造）に符号化されることで、全て共通して一つの符号語Ｃｘから次の符号語Ｃｙを経て次の次の符号語Ｃｚまでの符号語列となる。
【００９０】
ここで、図８〜図１０に示したように、次の符号語Ｃｙは前述したように「００１０００１０００００１０」であり、一方、次の次の符号語Ｃｚは「０００００００１０００００１」である。そして、次の符号語Ｃｙの１３ビット目が“１”であり、次の次の符号語Ｃｚの８ビット目が“１”であるので、上記した４組の結合ビット１ｂのうちで第１〜第３組の結合ビット（０００），（００１），（０１０）は最小ランレングス３Ｔ〜最大ランレングス１２Ｔを満たすものの、第４組の結合ビット（１００）は最小ランレングス３Ｔを満足しないので付加を中止する。
【００９１】
そして、３組の符号語列｛Ｃｘ（０００）Ｃｙ｝，｛Ｃｘ（００１）Ｃｙ｝，｛Ｃｘ（０１０）Ｃｙ｝と、ここに入力した次の次の符号語Ｃｚとの間に、３組の結合ビット（０００），（００１），（０１０）をそれぞれ付加した後に、合計で９組の符号語列｛Ｃｘ（０００）Ｃｙ（０００）Ｃｚ｝，｛Ｃｘ（０００）Ｃｙ（００１）Ｃｚ｝，｛Ｃｘ（０００）Ｃｙ（０１０）Ｃｚ｝，｛Ｃｘ（００１）Ｃｙ（０００）Ｃｚ｝，｛Ｃｘ（００１）Ｃｙ（００１）Ｃｚ｝，｛Ｃｘ（００１）Ｃｙ（０１０）Ｃｚ｝，Ｃｘ（０１０）Ｃｙ（０００）Ｃｚ｝，｛Ｃｘ（０１０）Ｃｙ（００１）Ｃｚ｝，｛Ｃｘ（０１０）Ｃｙ（０１０）Ｃｚ｝を第２ＤＳＶ値演算回路３３Ｂに入力して９組の符号語列の各ＤＳＶ値を演算すると、
図８（ａ）に示したケース１１の符号語列｛Ｃｘ（０００）Ｃｙ（０００）Ｃｚ｝の場合には、符号語Ｃｙの１３ビット目から結合ビット（０００）を介して符号語Ｃｚの７ビット目までの“０”の数が１１個連続するので最大ランレング１２Ｔを含むことになり、且つ、符号語列｛Ｃｘ（０００）Ｃｙ（０００）Ｃｚ｝のＤＳＶ値が−３となり、
図８（ｂ）に示したケース１２の符号語列｛Ｃｘ（０００）Ｃｙ（００１）Ｃｚ｝の場合には、最大ランレング１２Ｔを含まずに、符号語列｛Ｃｘ（０００）Ｃｙ（００１）Ｃｚ｝のＤＳＶ値が＋３となり、
図８（ｃ）に示したケース１３の符号語列｛Ｃｘ（０００）Ｃｙ（０１０）Ｃｚ｝の場合も、最大ランレング１２Ｔを含まずに、符号語列｛Ｃｘ（０００）Ｃｙ（０１０）Ｃｚ｝のＤＳＶ値が＋５となる。
【００９２】
また、図９（ａ）に示したケース２１の符号語列｛Ｃｘ（００１）Ｃｙ（０００）｝Ｃｚの場合には、符号語Ｃｙの１３ビット目から結合ビット（０００）を介して符号語Ｃｚの７ビット目までの“０”の数が１１個連続するので最大ランレング１２Ｔを含むことになり、且つ、符号語列｛Ｃｘ（００１）Ｃｙ（０００）Ｃｚ｝のＤＳＶ値が＋１となり、
図９（ｂ）に示したケース２２の符号語列｛Ｃｘ（００１）Ｃｙ（００１）Ｃｚ｝の場合には、最大ランレング１２Ｔを含まずに、符号語列｛Ｃｘ（００１）Ｃｙ（００１）Ｃｚ｝のＤＳＶ値が−５となり、
図９（ｃ）に示したケース２３の符号語列｛Ｃｘ（００１）Ｃｙ（０１０）Ｃｚ｝の場合も、最大ランレング１２Ｔを含まずに、符号語列｛Ｃｘ（００１）Ｃｙ（０１０）Ｃｚ｝のＤＳＶ値が−７となる。
【００９３】
更に、図１０（ａ）に示したケース３１の符号語列｛Ｃｘ（０１０）Ｃｙ（０００）Ｃｚ｝の場合には、符号語Ｃｙの１３ビット目から結合ビット（０００）を介して符号語Ｃｚの７ビット目までの“０”の数が１１個連続するので最大ランレング１２Ｔを含むことになり、且つ、符号語列｛Ｃｘ（０１０）Ｃｙ（０００）Ｃｚ｝のＤＳＶ値が−１となり、
図１０（ｂ）に示したケース３２の符号語列｛Ｃｘ（０１０）Ｃｙ（００１）Ｃｚ｝の場合には、最大ランレング１２Ｔを含まずに、符号語列｛Ｃｘ（０１０）Ｃｙ（００１）Ｃｚ｝のＤＳＶ値が−７となり、
図１０（ｃ）に示したケース３３の符号語列｛Ｃｘ（０１０）Ｃｙ（０１０）Ｃｚ｝の場合も、最大ランレング１２Ｔを含まずに、符号語列｛Ｃｘ（０１０）Ｃｙ（０１０）Ｃｚ｝のＤＳＶ値が−９となる。
【００９４】
この後、第２ＤＳＶ値演算回路３３Ｂからの９組の符号語列及びこれらに対応した各ＤＳＶ値がＤＳＶ値比較回路・結合ビット選択回路３４に入力され、このＤＳＶ値比較回路・結合ビット選択回路３４で９組の符号語列の各ＤＳＶ値のうちでＤＳＶの絶対値が一番零に近いＤＳＶ値＝＋１を有する符号語列｛Ｃｘ（００１）Ｃｙ（０００）Ｃｚ｝、又はＤＳＶ値＝−１を有する符号語列｛Ｃｘ（０１０）Ｃｙ（０００）Ｃｚ｝のいずれか一方の組を選択して、決定符号語列出力回路３５に入力している。この際、ＤＳＶの絶対値が一番零に近い組は、図８（ａ），図９（ａ），図１０（ａ）のように最大ランレング１２Ｔを含んだ組から選択されていることは明らかである。
【００９５】
尚、ＤＳＶ値比較回路・結合ビット選択回路３４で符号語列を選択する際に、符号語列のＤＳＶの絶対値が同じ値である場合には、＋側のＤＳＶ値の符号語列を採用するか、それとも、−側のＤＳＶ値の符号語列を採用するかを変調装置３０内で予め決めておけば自動的に＋側又は一側のいずれか一方側だけの符号語列を選択でき、且つ、一方側だけの符号語列に対応した結合ビット１ｂを選択できる。
【００９６】
次に、決定符号語列出力回路３５は、ＤＳＶ値比較回路・結合ビット選択回路３４で選択した一つの組の符号語列中における一つの符号語Ｃｘと次の符号語Ｃｙとの間に付加した結合ビット１ｂを用い、一つの符号語Ｃｘから上記結合ビット１ｂを介して次の符号語Ｃｙまでを結合して最終的に決定した一つの決定符号語列｛Ｃｘ（００１）Ｃｙ｝、又は一つの決定符号語列｛Ｃｘ（０１０）Ｃｙ｝のいずれか一方を出力している。言い換えると、ＤＳＶ値比較回路・結合ビット選択回路３４で選択した一つの組の符号語列中から符号語Ｃｙ，Ｃｚ間の結合ビット１ｂと、符号語Ｃｚとを取り除いた状態と等価である。
【００９７】
即ち、決定符号語列出力回路３５に入力されたＤＳＶ値＝＋１を有する符号語列｛Ｃｘ（００１）Ｃｙ（０００）Ｃｚ｝、又はＤＳＶ値＝−１を有する符号語列｛Ｃｘ（０１０）Ｃｙ（０００）Ｃｚ｝は、符号語Ｃｘ，Ｃｙ間に付加した結合ビット１ｂが（００１）又は（０１０）であり、且つ、一つの符号語Ｃｘから次の符号語Ｃｙを経て次の次の符号語Ｃｚまでの符号語列のＤＳＶ値を考慮した時のＤＳＶの絶対値が一番零に近くなるように、符号語Ｃｘ，Ｃｙ間に付加する結合ビット１ｂを選択したものとなる。
【００９８】
これに対して、図４で説明した従来例のように、一つの符号語Ｃｘと次の符号語Ｃｙのみを先読みする従来の変調装置２０を用いて符号語Ｃｘ，Ｃｙ間に付加した結合ビット１ｂが（０００）の場合には、図７及び図８（ａ）〜（ｃ）に示したように、一時的にはＤＳＶ値が小さくなっても、先々は次の次の符号語Ｃｚまで先読みする本実施例の場合よりもＤＳＶ値が＋側又は−側に大きくなってしまう。
【００９９】
ところで、符号語Ｃと結合ビット１ｂの組み合わせにおいて、最大ランレングス１２Ｔを発生させるためには、図８〜図１０での「ＣｙとＣｚ」のように、結合ビット１ｂを挟んで隣り合う２つの符号語Ｃが、結合ビット１ｂを付加した時に結合ビット１ｂを含めて“０”の数が１１個連続できるものであれば良い。
【０１００】
この後、本実施例ではＤＳＶ値が最良となるように制御された決定符号語列｛Ｃｘ（００１）Ｃｙ……｝、又は決定符号語列｛Ｃｘ（０１０）Ｃｙ……｝を記録に適した記録信号Ｒ（図１）に変換して、レーザービームによりＣＤ用のガラス原盤（図示せず）に記録している。そして、ＣＤ用のガラス原盤を基にしてスタンパ盤（図示せず）を作製し、このスタンパ盤を用いて後述の図１２（ａ），（ｂ）に示したような本発明に係る本実施例の記録媒体となる光ディスク（ＣＤ）１０を作製している。
【０１０１】
以上、本発明に係わる変調装置、変調方法の基本動作について具体例を示しながら説明した。但し、ここでは説明を分かり易くするために、ＤＳＶ値の演算に当たっては、符号語列｛Ｃｘ（０００）Ｃｙ｝、｛Ｃｘ（０００）Ｃｙ（０００）Ｃｚ｝、｛Ｃｘ（０００）Ｃｙ（０００）Ｃｚ……｝といったように、既に決定された符号語列についても再度の演算を行うような表現をした。その結果、全ての符号語Ｃｘ，Ｃｙ，Ｃｚ……が入力されないとＤＳＶ値の演算が出来ないだけでなく、決定符号語列も出力することが出来ないように受け取れるが、実際の回路では既に決定された符号語列のＤＳＶ値についてはＤＳＶ値演算回路３３Ａ，３３ＢないしはＤＳＶ値比較回路３４内に図示されていないＤＳＶ値記憶回路を設けており、ＤＳＶ値演算の重複を避けると共に少なくとも三つの符号語が入力されれば一つの決定符号語列を得ることが出来る構成となっている。
【０１０２】
上記から隣り合う符号語Ｃ，Ｃ間にＤＳＶ値が最良となるような３ビットの結合ビット１ｂを付加して符号語列を生成するにあたって、最大ランレングス１２Ｔを発生可能な本発明の変調装置３０を用いると、図８〜図１０に示したように最大ランレングス１２Ｔを含む符号語列でＤＳＶ値が一番小さな値を取ることができる。
【０１０３】
これに対して、最大ランレングス１２Ｔを許容しない従来の変調装置２０（図４）を用いた場合には、図８〜図１０に示したように最大ランレングス１２Ｔを許容した場合よりもＤＳＶ値が大きくなることが上記から明らかである。ここでは、ＣＤ規格上のランレングス制限規則を厳守しない例として、最大ランレングス１２Ｔについて説明したが、さらに１３Ｔ以上の長いランレングスや、逆に２Ｔ以下の短いランレングスなどについても、本実施例の変調装置３０へ適用可能であり、符号語列のＤＳＶ値を従来の変調装置２０を用いた場合に比べて小さな値とする事ができる。但し、従来技術の項で説明したように伝送特性の観点から極端に短いランレングスや極端に長いランレングスを許容することは好ましくない。
【０１０４】
ところで、上記の最大ランレングス１２Ｔが利用可能な符号語列がある期間に亘って連続する場合、従来の変調装置２０では例えば図８の（ｂ）ないしは（ｃ）に示されるようなＤＳＶ値の増加が連続して発生するため、その連続する期間において符号語列のＤＳＶ値が周期的に大きく変動する場合がある。何故ならば、図８の（ｂ）ないしは（ｃ）ではＤＳＶ値が右肩上がり、即ちプラスの増加傾向の例を示したが、入力した符号語Ｃｘ，Ｃｙ，Ｃｚ……が同じであっても、最初の符号語Ｃｘに対応する決定符号語列の極性が逆であれば、ＤＳＶ値は右肩下がり、即ちマイナスの増加傾向となる。この結果、従来の変調装置２０を用いて記録した信号を再生する際に符号語列の再生信号には特定の周波数の成分が増加し、安定な再生を損なうことになる。この一方で本実施例の変調装置３０を適用した場合には安定した再生が維持されることは明らかである。以降、このような差異を生ずる特定の符号語に対応する入力データを特定データと呼ぶ。
【０１０５】
この技術的思想を応用して、ある一つの符号語Ｃｘから次の符号語Ｃｙを経て少なくとも次の次の符号語Ｃｚまでを先読みし、且つ、最小ランレングス３Ｔ〜最大ランレングス１２Ｔを許容して特定データから生成した符号語列をオリジナル記録媒体に記録した場合、記録されている符号語列のＤＳＶ値は極めて小さいので再生不良は発生しないが、このオリジナル記録媒体をコピーしたコピー記録媒体では、上記したオリジナル記録媒体からの再生データを従来の変調装置２０（図４）によりＣＤ規格上のランレングス制限規則ＲＬＬ（２，１０）に基づいて設定された最小ランレングス３Ｔ〜最大ランレングス１１Ｔを厳守するように隣り合う符号語Ｃ，Ｃ間に３ビットの結合ビット１ｂを付加して符号語列を記録しているために、オリジナル記録媒体上で最大ランレングス１２Ｔを許容した特定データ部分が、コピー記録媒体ではＤＳＶ値の変動が大きくなるため再生信号には特定の周波数の成分が増加することは明らかである。
【０１０６】
この様子を図１１に示す。図１１に示したように、オリジナル記録媒体（ＣＤ）に記録されている最大ランレングス１２Ｔを許容した特定データ部分の符号語列の再生周波数スペクトラムは、低域部分ではなだらかに減衰しいているのに対し、オリジナル記録媒体（ＣＤ）により従来の変調装置２０によってコピーしたコピー記録媒体（ＣＤ−Ｒ）を再生したときの特定データ部分の符号語列の再生周波数スペクトラムは、低域部分で特定の周波数の成分が増加しており、コピー記録媒体（ＣＤ−Ｒ）の再生は不安定となるのである。
【０１０７】
尚、本実施例の技術的思想をコンピューターデータを収録したＣＤ−ＲＯＭに適用する場合には、図７に示した音楽元データＡＤをコンピューター元データに名称を変更すれば良いだけであるので、説明を省略する。
【０１０８】
次に、本発明に係る本実施例の記録媒体となる光ディスクについて図１２を用いて説明する。図１２（ａ），（ｂ）は本発明に係る本実施例の記録媒体となる光ディスクを説明するための斜視図，縦断面である。
【０１０９】
図１２（ａ），（ｂ）に示した如く、本発明に係る本実施例の記録媒体となる光ディスク（以下、オリジナルＣＤと記す）１０は、音楽情報を収録したＣＤ（Ｃｏｍｐａｃｔ  Ｄｉｓｃ）とか、コンピューターデータを収録したＣＤ−ＲＯＭ（ＣＤ−Ｒｅａｄ  Ｏｎｌｙ  Ｍｅｍｏｒｙ）などの再生専用型の光ディスクに適用されており、このオリジナルＣＤ１０に収録したディジタル情報信号は、ＥＦＭ（Ｅｉｇｈｔ  ｔｏ  Ｆｏｕｒｔｅｅｎ  Ｍｏｄｕｌａｔｉｏｎ：８−１４変調）方式により、最小ランレングスが３Ｔ、最大ランレングスが１２Ｔを最優先で満たすように先に説明した本実施例の変調装置３０を用いて符号化されている。
【０１１０】
上記したオリジナルＣＤ１０は、外径１２０ｍｍ又は８０ｍｍ，中心孔の孔径１５ｍｍ，基板厚み１．２ｍｍである円盤状の透明ディスク基板１１の一方の面１１ａにディジタル情報信号を凹状のピットと凸状のランドとでディジタル的なピット列に変換して、このピット列を螺旋状又は同心円状の記録トラック１２として刻んで信号面が記録されている。
【０１１１】
ここで、記録トラック１２は、先に説明した本実施例の変調装置３０を用いてある符号語Ｃｘ，Ｃｙ，Ｃｚ……の間で、最小ランレングス３Ｔ〜最大ランレングス１２Ｔを満足し、且つ、一つの符号語Ｃｘに続く次の符号語Ｃｙと次の次の符号語Ｃｚとを少なくとも先読みしてＤＳＶ値が最良となるような結合ビット１ｂを付加して一つの決定符号語列を生成し、この一つの決定符号語列に対応して凹凸状のピット列を全面に亘って予め形成しているものである。更に、オリジナルＣＤ１０の信号面上に金属反射膜１４，保護膜１５を順に成膜して、オリジナルＣＤ１０が再生専用型に形成されている。そして、透明ディスク基板１１の一方の面１１ａと反対側の面１１ｂ側が再生用のレーザービームＬｐを照射する側となっている。
【０１１２】
そして、オリジナルＣＤ１０に記録された記録トラック１２を市販のＣＤプレーヤないしはＣＤ−ＲＯＭドライブにより再生した時に、ＣＤ規格外のランレングス１２Ｔを含んでいても１４ビットの符号語Ｃ自体は規格を満たしているので、再生データに誤りは生じない。一方、図８（ｂ），（ｃ）及び図９（ｂ），（ｃ）並びに図１０（ｂ），（ｃ）に示したようなＣＤ規格上のランレングス制限規則を守ると大きなＤＳＶ値を生じる特定データが入力データ語Ｄとしてある期間生じたような場合、従来の変調装置２０によって作製された光ディスクでは符号語列のＤＳＶ値は変動量が大きく、且つ符号語列の１フレーム長ないしは２フレーム長を基本とした周期で変動するため再生不良を生じてしまうが、これに対して本実施例ではＣＤ規格外の最大ランレングス１２Ｔを許容することで符号語列のＤＳＶ値の変動が改善され、安定な再生が得られる。
【０１１３】
同様に、ユーザーが上記した特定データを含む音楽元データＡＤ（図７）を記録したオリジナルＣＤ１０をＣＤ−Ｒドライブ（図示せず）を用いてコピー記録媒体（ＣＤ−Ｒ）にコピーした場合には、前述したようにＣＤ−Ｒドライブ内には従来の変調装置２０（図４）が設けられているために、オリジナルＣＤ１０を再生して得られる音楽元データＡＤ（図７）をＣＤ−Ｒドライブに入力すれば、従来の変調装置２０（図４）内でＣＤ規格上のランレングス制限規則ＲＬＬ（ｄ，ｋ）＝ＲＬＬ（２，１０）に基づいて設定された最小ランレングス（ｄ＋１）Ｔ＝３Ｔ〜最大ランレングス（ｋ＋１）Ｔ＝１１Ｔを厳守して３ビットの結合ビット１ｂを付加して符号語列を生成しているために、コピーした符号語列のＤＳＶ値は本実施例の変調装置３０（図７）を用いた場合よりも変動量が大きく、且つ符号語列の１フレーム長ないしは２フレーム長を基本とした周期で変動している。従って、このコピー記録媒体（ＣＤ−Ｒ）を市販のＣＤプレーヤ或いはＣＤ−ＲＯＭドライブにより再生した時には、その再生信号には２値化回路の動作や、トラッキングないしはフォーカスサーボなどに悪影響を与える特定の周波数の成分が増加し、再生が不安定になったり、或いは再生不能となる。これにより、オリジナルＣＤ１０をコピー記録媒体（ＣＤ−Ｒ）にコピーした時にディジタル情報信号への著作権侵害を未然に防ぐことができる。尚、前述した符号語列のＤＳＶ値の変動量が大きいと、再生機の安定性に悪影響を与えることは、特開平６−１９７０２４号公報の従来技術の項に記載されているように、公知の事実であるので詳細は省く。
【０１１４】
次に、音楽元データＡＤとして、聴感上判別できない交流信号又は直流信号の特定データを符号化して用いればより一層コピー防止対策に効果的であり、この場合について図１３及び図１４を用いて説明する。
【０１１５】
図１３（ａ）は音楽元データＡＤとして聴感上判別できない交流信号の特定データを符号化して作製した本発明のオリジナルＣＤを再生した場合を示し、（ｂ）は本発明のオリジナルＣＤをコピーしたＣＤ−Ｒを再生した場合を示した図、図１４（ａ）は音楽元データＡＤとして聴感上判別できない直流信号の特定データを符号化して作製した本発明のオリジナルＣＤを再生した場合を示し、（ｂ）は本発明のオリジナルＣＤをコピーしたＣＤ−Ｒを再生した場合を示した図である。
【０１１６】
まず、図１３（ａ）に示した如く、音楽元データＡＤとして聴感上判別できない信号、例えば２２．０５ＫＨｚ程度の交流信号からなる特定データを、所定の期間に亘って図７に示した本実施例の変調装置３０内に設けた８−１４変調回路３１に入力する。そして、例えば２２．０５ＫＨｚ程度の交流信号からなる特定データを１４ビットの符号語Ｃに変換する際、ランレングス制限規則を厳守せずに最小ランレングス３Ｔ〜最大ランレングス１２Ｔを許容し、且つ、一つの符号語Ｃｘに続く次の符号語Ｃｙと次の次の符号語Ｃｚとを少なくとも先読みしてＤＳＶ値が最良となるような結合ビット１ｂを付加して一つの決定符号語列を生成し、この一つの決定符号語列を本発明に係る記録媒体となるオリジナルＣＤ１０（図１２）に適用している。そして、このオリジナルＣＤ１０を再生した場合には、符号語列の再生信号には特定の周波数の成分が増加することがないので何等の支障もなく、且つ、聴感上判別できない交流信号データとして再生されるのでユーザーは全く気がつかない。尚、交流信号からなる特定データは、その前後での雑音の発生を防止するために、図１３（ａ）に示した如く、所定の期間の前後でフェードイン、フェードアウトの処理がなされていることも特徴の一つである。また、上記した交流信号の特定データを挿入する所定の期間としては、音楽データの場合に曲と曲との間の無音区間内が適している。
【０１１７】
一方、図１３（ｂ）に示した如く、交流信号からなる特定データを記録したオリジナルＣＤ１０をＣＤ−Ｒにコピーし、このＣＤ−Ｒを再生した場合に、上記した所定の期間に亘る符号語列の再生信号には特定の周波数の成分が増加するので、読取不能区間が発生してしまい、再生機でのデータ補間によって低い周波数成分の雑音が発生し、例えば、“ギー音”とか“ギャー音”など耳ざわりな音が聞こえるので、このＣＤ−Ｒが異常な光ディスクであることをユーザーに知らせることができると共に、コピーしたＣＤ−Ｒ上でのディジタル情報信号への著作権侵害を未然に防ぐことができる。
【０１１８】
次に、図１４（ａ）では図１３（ａ）の交流信号データに対して音楽元データＡＤとして聴感上判別できない直流信号からなる特定データに置換した例であり、これを適用して作製した本発明に係る記録媒体となるオリジナルＣＤ１０（図１２）を再生した場合には、符号語列の再生信号には特定の周波数の成分が増加することがないので何等の支障もなく、且つ、聴感上判別できない直流信号データとして再生されるのでユーザーは全く気がつかない。尚、直流信号からなる特定データは、その前後での雑音の発生を防止するために、図１４（ａ）に示した如く、所定の期間の前後でフェードイン、フェードアウトの処理がなされていることも特徴の一つである。また、上記した直流信号の特定データを挿入する所定の期間としては、音楽データの場合に曲と曲との間の無音区間内が適している。
【０１１９】
一方、図１４（ｂ）に示した如く、直流信号からなる特定データを記録したオリジナルＣＤ１０をＣＤ−Ｒにコピーした場合でも、上記と同じように所定の期間中で読取不能区間が発生してしまう。従って、この場合でもコピーしたＣＤ−Ｒは再生不可能となるので、コピーしたＣＤ−Ｒ上でのディジタル情報信号への著作権侵害を未然に防ぐことができる。
【０１２０】
ここで、ｐ−ｑ変調すべき入力データ語Ｄを音楽情報とし、且つ、ｐビットの入力データ語Ｄをｑビットの符号語Ｃに変換する際に、前述したように一つの符号語Ｃｘに続く次の符号語Ｃｙと次の次の符号語Ｃｚとを少なくとも先読みして符号語列を生成した時に、上記したような聴感上判別できない交流信号又は直流信号の特定データを、音楽情報中の曲と曲との間に形成される無音区間内に挿入する場合について、図１５〜図１９を用いてより具体的に説明する。
【０１２１】
図１５は一般的なＣＤにおける曲間の無音区間について説明するための模式図、
図１６は本発明に係る記録媒体において、聴感上判別できない特定データを曲間の無音区間内に挿入する特定データ挿入形態１の場合について説明するための模式図、
図１７は本発明に係る記録媒体において、聴感上判別できない特定データを曲間の無音区間内に挿入する特定データ挿入形態２の場合について説明するための模式図、
図１８は本発明に係る記録媒体において、聴感上判別できない特定データを曲間の無音区間内に挿入する特定データ挿入形態３の場合について説明するための模式図、
図１９は本発明に係る記録媒体において、聴感上判別できない特定データを曲間の無音区間内に挿入する特定データ挿入形態４の場合について説明するための模式図である。
【０１２２】
ここで、聴感上判別できない特定データを、本発明に係る記録媒体となるオリジナルＣＤ１０（図１２）上で曲と曲との間に形成される無音区間内に挿入して記録する場合を説明する前に、これに対する参考資料として音楽情報を収録した一般的なＣＤ（Ｃｏｍｐａｃｔ  Ｄｉｓｃ）の場合における無音区間について先に説明する。
【０１２３】
即ち、図１５に示した如く、音楽情報を収録した一般的なＣＤの場合には、ＣＤの規格書「Ｒｅｄ  Ｂｏｏｋ」に従って、内周側に形成された不図示のリードイン領域内のＴＯＣ（Ｔａｂｌｅ  ｏｆ  Ｃｏｎｔｅｎｔｓ）に、音楽情報の目次情報として各曲のスタートアドレスが予め記録されている。更に、ＣＤのトラック上のデータ領域に記録された複数の曲にも各曲ごとに曲番号，インデックス番号，アドレスなどが図示した如くに記録されている。
【０１２４】
より具体的には、ＣＤ上に記録された複数の曲に対してｎ（但しｎは２以上の自然数）を用いて一般化して表示した場合に、複数の曲のうちで例えばｎ−１番目の曲と、ｎ番目の曲との間に無音区間が形成されている。
【０１２５】
また、ｎ−１番目の曲に対応した曲番号ｎ−１が、不図示のｎ−２番目の曲の演奏が終了した直後の演奏終了位置（図示せず）からｎ−１番目の曲の演奏が終了した直後の演奏終了位置までに亘って記録され、且つ、ｎ−１番目の曲に対応した曲番号ｎ−１の演奏終了位置はｎ−１番目の曲とｎ番目の曲との間に形成される無音区間内に設定されている。更に、ｎ−１番目の曲に対応した曲番号ｎ−１の演奏終了位置に続いてｎ番目の曲に対応した曲番号ｎが記録されている。
【０１２６】
また、ｎ−１番目の曲及びｎ番目の曲にはそれぞれの曲内の楽章順番などを示すためのインデックス番号が０１から最大で９９まで付与可能になっており、ｎ−１番目の曲内のインデックス番号０１（〜９９）はｎ−１番目の曲のスタートアドレス（図示せず）の位置からこの曲の曲番号ｎ−１の演奏終了位置までの間に亘って記録され、一方、ｎ番目の曲内のインデックス番号０１（〜９９）はｎ番目の曲のスタートアドレスの位置からこの曲の曲番号ｎの演奏終了位置（図示せず）までの間に亘って記録されている。この際、ｎ−１番目の曲のスタートアドレス（図示せず）及びｎ番目の曲のスタートアドレスは、曲間の無音区間内にあってそれぞれの曲の演奏が開始する先端部より前の位置に記録されている。
【０１２７】
また、ｎ−１番目の曲とｎ番目の曲との間に形成された無音区間内には、それぞれの曲とは関係がないインデックス番号００が記録されている区間があり、このインデックス番号００が記録される区間はｎ−１番目の曲の曲番号ｎ−１の演奏終了位置とｎ番目の曲のスタートアドレスの位置との間に設定されている。
【０１２８】
上記により、ｎ−１番目の曲は、この曲の曲番号ｎ−１の演奏終了位置で終了するようになっている。一方、ｎ番目の曲は、この曲のスタートアドレスの位置から開始されるようになっている。
【０１２９】
ここで、上記したＣＤのように、トラック上のデータ領域に記録された複数の曲に対応して各曲ごとに曲番号，インデックス番号，スタートアドレスが記録される場合に、本発明に係る記録媒体となるオリジナルＣＤ１０（図１２）では、例えば、ｎ−１番目の曲とｎ番目の曲との間に形成される無音区間内に、聴感上判別できない交流信号又は直流信号の特定データを図１６〜図１９に示した特定データ挿入形態１〜４のいずれかに基づいて挿入して記録している。
【０１３０】
まず、図１６に示した如く、本発明に係る記録媒体における特定データ挿入形態１の場合では、オリジナルＣＤ１０（図１２）上で、例えば、ｎ−１番目の曲とｎ番目の曲との間に形成される無音区間内にあって、且つ、先に説明したような位置に付与されるインデックス番号００の区間内に上記した特定データを挿入して記録している。
【０１３１】
これにより、インデックス番号００の区間内に特定データを挿入して記録したオリジナルＣＤ１０をＣＤ−Ｒ（コピー記録媒体）に丸ごとコピーした場合には、コピーしたＣＤ−Ｒにもｎ−１番目の曲とｎ番目の曲との間に形成される無音区間内にあって、且つ、インデックス番号００の区間内に特定データが記録されてしまうために、コピーしたＣＤ−Ｒを再生した時には先に説明したと同様にコピーした特定データによって読取不能区間が発生してＣＤ−Ｒが再生不可能となるので、コピーしたＣＤ−Ｒ上でのディジタル情報信号への著作権侵害を未然に防ぐことができる。
【０１３２】
しかしながら、インデックス番号００の区間内に特定データを挿入して記録したオリジナルＣＤ１０をＣＤ−Ｒにコピーする際に、ユーザーがオリジナルＣＤ１０に対して各曲間の無音区間を避けてランダムアクセスにより各曲のスタートアドレスの位置から複数の曲をつめてＣＤ−Ｒにコピーすることも考えられ、この場合には各曲間の無音区間がＣＤ−Ｒ上にコピーされないためにオリジナルＣＤ１０上で各曲間に設定される各インデックス番号００の区間内に記録した各特定データもコピーされず、これによりコピーしたＣＤ−Ｒを再生しても読み取り不能区間が発生しなくなってしまい、オリジナルＣＤ１０上での特定データによるコピー防止機能がコピーしたＣＤ−Ｒ上で機能しないことになってしまう。これを避けるために、本発明では、オリジナルＣＤ１０に対してユーザーが各曲のスタートアドレスの位置から複数の曲をつめてＣＤ−Ｒにコピーした場合でも各曲間の無音区間内に記録した各特定データが必ずコピーされるように下記する図１７〜図１９に示した特定データ挿入形態２〜４のいずれかを採用することで、オリジナルＣＤ１０でのコピー防止機能をより一層向上させることができるものである。
【０１３３】
即ち、図１７に示した如く、本発明に係る記録媒体における特定データ挿入形態２の場合では、オリジナルＣＤ１０上で、例えば、ｎ−１番目の曲とｎ番目の曲との間に形成される無音区間内に設定するｎ−１番目の曲の曲番号ｎ−１の演奏終了位置を、図１６に示した場合の曲番号ｎ−１の演奏終了位置よりもｎ番目の曲のスタートアドレス側に延長して、ｎ−１番目の曲の終端部とここで延長した曲番号ｎ−１の演奏終了位置との間に上記した特定データを挿入して記録している。これに伴って、インデックス番号００が記録される区間は短縮される。
【０１３４】
また、ここでの図示を省略するものの、ｎ−１番目の曲の曲番号ｎ−１の演奏終了位置をｎ番目の曲のスタートアドレスの位置と一致するまで延長して、ｎ−１番目の曲の終端部とここでスタートアドレスの位置まで延長した曲番号ｎ−１の演奏終了位置との間に特定データを挿入して記録しても良く、この場合にはインデックス番号００が記録される区間が削除されるものの、曲番号ｎ−１の演奏終了位置でｎ−１番目の曲が終了し、この位置と同じ位置となるｎ番目の曲のスタートアドレスの位置からｎ番目の曲が開始されるので何等の支障もきたさない。
【０１３５】
従って、図１７に示したような特定データ挿入形態２の技術的思想を採用してオリジナルＣＤ１０を作製した場合に、聴感上判別できない特定データは曲間に形成される無音区間内にあって、且つ、インデックス番号００の区間を除いた区間内に挿入して記録することになり、このオリジナルＣＤ１０に対してユーザーが各曲のスタートアドレスの位置から複数の曲をつめてＣＤ−Ｒにコピーした場合でも、例えば、ｎ−１番目の曲は曲番号ｎ−１の演奏終了位置まで必ずコピーされるために、オリジナルＣＤ１０上でｎ−１番目の曲の終端部とこの曲の曲番号ｎ−１の演奏終了位置との間に記録した特定データもＣＤ−Ｒ上に必ずコピーされるので、コピーしたＣＤ−Ｒを再生すれば特定データによってＣＤ−Ｒが再生不能におちいることは前述した通りである。勿論、図１７に示したような特定データ挿入形態２の技術的思想を採用したオリジナルＣＤ１０をＣＤ−Ｒに丸ごとコピーしてもｎ−１番目の曲の終端部に続いて特定データがコピーされることは明白である。
【０１３６】
次に、図１８に示した如く、本発明に係る記録媒体における特定データ挿入形態３の場合では、オリジナルＣＤ１０上で、例えば、ｎ−１番目の曲とｎ番目の曲との間に形成される無音区間内に設定するｎ番目の曲のスタートアドレスの位置を、図１６に示した場合のｎ番目の曲のスタートアドレスの位置よりもｎ−１番目の曲の曲番号ｎ−１の演奏終了位置側に移動して、ｎ番目の曲のスタートアドレスの位置とこの曲の先端部との間に上記した特定データを挿入して記録している。これに伴って、インデックス番号００が記録される区間は短縮される。更に、この場合には、ｎ番目の曲のスタートアドレスの位置がｎ−１番目の曲側に移動されるので、ｎ番目の曲のスタートアドレスの位置からｎ番目の曲の先頭部に至るまでに無音状態が少し長く続く傾向があるものの、この際にｎ番目の曲のスタートアドレスの位置からｎ番目の曲の先頭部に至るまでの区間をユーザーが無音状態を許容できる時間範囲内に設定すれば何等の支障もきたさない。
【０１３７】
また、ここでの図示を省略するものの、ｎ番目の曲のスタートアドレスの位置をｎ−１番目の曲の曲番号ｎ−１の演奏終了位置に一致させて、曲番号ｎ−１の演奏終了位置に一致させたｎ番目の曲のスタートアドレスの位置とｎ番目の曲の先端部との間に特定データを挿入して記録しても良く、この場合にもインデックス番号００が記録される区間が削除されるものの、曲番号ｎ−１の演奏終了位置でｎ−１番目の曲が終了し、この位置と同じ位置となるｎ番目の曲のスタートアドレスの位置からｎ番目の曲が開始されるので何等の支障もきたさない。
【０１３８】
従って、図１８に示したような特定データ挿入形態３の技術的思想を採用してオリジナルＣＤ１０を作製した場合に、聴感上判別できない特定データは曲間に形成される無音区間内にあって、且つ、インデックス番号００の区間を除いた区間内に挿入して記録することになり、このオリジナルＣＤ１０に対してユーザーが各曲のスタートアドレスの位置から複数の曲をつめてＣＤ−Ｒにコピーした場合でも、例えば、ｎ番目の曲のスタートアドレスの位置から必ずコピーされるために、オリジナルＣＤ１０上でｎ番目の曲のスタートアドレスとこの曲の先端部との間に記録入した特定データもＣＤ−Ｒ上に必ずコピーされるので、コピーしたＣＤ−Ｒを再生すれば特定データによってＣＤ−Ｒが再生不能におちいることは前述した通りである。勿論、図１８に示したような特定データ挿入形態３の技術的思想を採用したオリジナルＣＤ１０をＣＤ−Ｒに丸ごとコピーしてもｎ番目の曲のスタートアドレスに続いて特定データがコピーされることは明白である。
【０１３９】
次に、図１９に示した如く、本発明に係る記録媒体における特定データ挿入形態４の場合は、図１６に示した特定データ挿入形態１と、図１７に示した特定データ挿入形態２と、図１８に示した特定データ挿入形態３とを組み合わせてオリジナルＣＤ１０を作製しており、例えば、ｎ−１番目の曲の終端部とこの曲の曲番号ｎ−１の演奏終了位置との間に上記した特定データを挿入して記録し、且つ、インデックス番号００の区間内にも特定データを挿入して記録し、更に、ｎ番目の曲のスタートアドレスの位置とこの曲の先端部との間に特定データを挿入して記録している。
【０１４０】
尚、図１９では上記した特定データ挿入形態１〜３の３組を組み合わせた場合を図示しているが、これに限ることなく、特定データ挿入形態１〜３のうちで少なくとも２組以上を組み合わせてオリジナルＣＤ１０を作製しても良いものである。
【０１４１】
従って、上記した特定データ挿入形態１〜３のうちで少なくとも２組以上を組み合わせて作製したオリジナルＣＤ１０をＣＤ−Ｒに丸ごとコピーしたり、あるいは、ユーザーが各曲のスタートアドレスの位置から複数の曲をつめてＣＤ−Ｒにコピーした場合でも、ＣＤ−Ｒ上の曲間に少なくとも一つ以上の特定データが必ずコピーされるので、コピーしたＣＤ−Ｒを再生すれば少なくとも一つ以上の特定データによってＣＤ−Ｒが再生不能におちいることは前述した通りである。
【０１４２】
尚、以上詳述した本発明に係る変調装置、変調方法、記録媒体では、ＣＤに用いられているＥＦＭ変調（８−１４変調）方式の場合について説明したが、ＣＤ規格に限定されることなく、ｐビットの入力データ語Ｄをｑビットの符号語Ｃに変換する際に、一つの符号語Ｃｘに続く次の符号語Ｃｙと次の次の符号語Ｃｚとを少なくとも先読みし、且つ、所定のランレングス制限規則ＲＬＬ（ｄ，ｋ）基づいて設定された最小ランレングス（ｄ＋１）Ｔ〜最大ランレングス（ｋ＋１）Ｔを厳守せずに、最小ランレングス（ｄ＋１）Ｔ〜最大ランレングス（ｋ＋２）Ｔを許容するように隣り合う符号語Ｃ，Ｃ間にＤＳＶ値が最良となるようなｒビットの結合ビット１ｂを付加して符号語列を生成するｐ−ｑ変調ならばいかなるものでも上記した技術的思想を適用できる。
【０１４３】
更に尚、ｐ−ｑ変調すべき入力データ語Ｄを音楽情報とし、且つ、ｐビットの入力データ語Ｄをｑビットの符号語Ｃに変換する際に、一つの符号語Ｃｘに続く次の符号語Ｃｙと次の次の符号語Ｃｚとを少なくとも先読みし、且つ、所定のランレングス制限規則ＲＬＬ（ｄ，ｋ）に基づいて設定された最小ランレングス（ｄ＋１）Ｔ〜最大ランレングス（ｋ＋１）Ｔを厳守せずに、最小ランレングス（ｄ＋１）Ｔ〜最大ランレングス（ｋ＋２）Ｔを許容するように隣り合う符号語Ｃ，Ｃ間にＤＳＶ値が最良となるようなｒビットの結合ビット１ｂを付加して符号語列を生成して、ｐ−ｑ変調した音楽情報をオリジナルＣＤ１０（図１２）に記録する時に、聴感上判別できない交流信号又は直流信号の特定データを音楽情報中の曲と曲との間に形成される無音区間内に挿入して記録すれば良く、更に、コピー防止機能の性能をより一層高めるためには、上記した特定データを曲間に形成される無音区間内にあって、且つ、インデックス番号００の区間を除いた区間内に挿入して記録すれば良いものである。
【０１４４】
【発明の効果】
以上詳述した本発明に係る変調装置、変調方法、記録媒体によれば、ｐビットの入力データ語をｑビットの符号語に変換し、且つ、隣り合う符号語間にｒビットの結合ビットを所定のランレングス制限規則を厳守せずに付加して符号語列を生成する際に、とくに、一つの符号語に続く次の符号語と次の次の符号語とを少なくとも先読みし、且つ、一つの符号語と次の符号語との間にｒビットによる複数組の結合ビットを所定のランレングス制限規則を厳守せずに仮に付加して複数組の符号語列を生成し、更に、複数組の符号語列中の次の符号語と少なくとも次の次の符号語との間にもｒビットによる複数組の結合ビットを所定のランレングス制限規則をせずに仮に付加して、少なくとも一つの符号語から次の次の符号語までの符号語列を多数組生成し、この後、多数組の符号語列の各ＤＳＶ値のうちでＤＳＶ値の絶対値が一番零に近い一つの組の符号語列を選択して、この一つの組の符号語列中における一つの符号語と次の符号語との間に付加した結合ビットを用い、一つの符号語から結合ビットを介して次の符号語までを結合して最終的に決定した一つの決定符号語列を出力しているので、この決定符号語列を多数連ねて記録した記録媒体では何等の支障も生じることなく正常に再生できると共に、この記録媒体をコピーしたコピー記録媒体を再生した時に、多数連ねてコピーした決定符号語列の再生信号には特定の周波数の成分が増加し且つＤＳＶ値も破綻をきたして再生できなくなるので、コピーしたコピー記録媒体上でのディジタル情報信号への著作権侵害を未然に防ぐことができる。
【０１４５】
また、本発明の変調装置又は本発明の変調方法により、入力データ語として聴感上判別できない交流信号データ又は直流信号データを所定の期間に亘って入力し、この入力データ語をｐ−ｑ変調により符号化して記録媒体に記録した場合に、この記録媒体をコピーしたコピー記録媒体を再生すれば、ＤＳＶ制御不良による読取不能区間中に“ギー音”とか“ギャー音”など耳ざわりな音が発生するために、コピー記録媒体が異常な記録媒体であることをユーザーに知らせることができると共に、コピーした記録媒体上でのディジタル情報信号への著作権侵害を未然に防ぐことができる。
【０１４６】
更に、本発明に係る変調装置、変調方法、記録媒体によれば、入力データ語を音楽情報とし、且つ、聴感上判別できない交流信号又は直流信号の特定データを所定の期間に亘って入力する場合に、前記した特定データを曲と曲との間に形成される無音区間内に挿入したり、又は、特定データを曲と曲との間に形成される無音区間内にあって、且つ、インデックス番号００の区間を除いた区間内に挿入して記録媒体に記録することにより、この記録媒体をコピーしたコピー記録媒体を再生した時に、コピーした特定データによって読取不能区間が発生してコピー記録媒体が再生不可能となるので、コピー記録媒体上でのディジタル情報信号への著作権侵害を未然に防ぐことができる。
【図面の簡単な説明】
【図１】ＣＤに収録されている音楽情報の信号フォーマットについて説明するための図であり、（ａ）は音楽元データを示し、（ｂ）はＥＦＭ信号を示した図である。
【図２】８−１４変調時の符号化テーブルを示した図である。
【図３】（ａ），（ｂ）は８−１４変調時のＤＳＶ制御を説明するための図である。
【図４】従来の変調装置を説明するために模式的に示したブロック図である。
【図５】（ａ）〜（ｃ）は従来の変調装置を用いて所定のランレングス制限規則を厳守しながら一つの符号語とこれに続く次の符号語との間に結合ビットを付加して符号語列を生成する場合に、結合ビットとして（０００），（００１），（０１０）を仮に付加した時に、複数組の符号語列のＤＳＶ値を演算した状態を説明するための図である。
【図６】従来例の一例として、コピー防止対策を施した光ディスクを示した縦断面図である。
【図７】本発明に係る本実施例の変調装置、変調方法を説明するために模式的に示したブロック図である。
【図８】（ａ）〜（ｃ）は本実施例の変調装置を用いてＣＤ規格上のランレングス制限規則を厳守せずに一つの符号語とこれに続く次の符号語との間に結合ビットを付加して符号語列を生成する場合に、一つの符号語に続く次の符号語と次の次の符号語とを先読みして、一つの符号語と次の符号語との間に１組の結合ビット（０００）を仮に付加すると共に、次の符号語と次の次の符号語との間に３組の結合ビット（０００），（００１），（０１０）を仮に付加した時に、多数組の符号語列の各ＤＳＶ値を演算した状態を説明するための図である。
【図９】（ａ）〜（ｃ）は本実施例の変調装置を用いてＣＤ規格上のランレングス制限規則を厳守せずに一つの符号語とこれに続く次の符号語との間に結合ビットを付加して符号語列を生成する場合に、一つの符号語に続く次の符号語と次の次の符号語とを先読みして、一つの符号語と次の符号語との間に１組の結合ビット（００１）を仮に付加すると共に、次の符号語と次の次の符号語との間に３組の結合ビット（０００），（００１），（０１０）を仮に付加した時に、多数組の符号語列の各ＤＳＶ値を演算した状態を説明するための図である。
【図１０】（ａ）〜（ｃ）は本実施例の変調装置を用いてＣＤ規格上のランレングス制限規則を厳守せずに一つの符号語とこれに続く次の符号語との間に結合ビットを付加して符号語列を生成する場合に、一つの符号語に続く次の符号語と次の次の符号語とを先読みして、一つの符号語と次の符号語との間に１組の結合ビット（０１０）を仮に付加すると共に、次の符号語と次の次の符号語との間に３組の結合ビット（０００），（００１），（０１０）を仮に付加した時に、多数組の符号語列の各ＤＳＶ値を演算した状態を説明するための図である。
【図１１】本発明に係る本実施例のオリジナルＣＤの場合と、オリジナルＣＤをコピーしたＣＤ−Ｒの場合とで、符号語列のＤＳＶ値変動に伴う周波数スペクトラムの差を示した図である。
【図１２】（ａ），（ｂ）は本発明に係る本実施例の記録媒体となる光ディスクを説明するための斜視図，縦断面である。
【図１３】（ａ）は音楽元データＡＤとして聴感上判別できない交流信号の特定データを符号化して作製した本発明のオリジナルＣＤを再生した場合を示し、（ｂ）は本発明のオリジナルＣＤをコピーしたＣＤ−Ｒを再生した場合を示した図である。
【図１４】（ａ）は音楽元データＡＤとして聴感上判別できない直流信号の特定データを符号化して作製した本発明のオリジナルＣＤを再生した場合を示し、（ｂ）は本発明のオリジナルＣＤをコピーしたＣＤ−Ｒを再生した場合を示した図である。
【図１５】一般的なＣＤにおける曲間の無音区間について説明するための模式図である。
【図１６】本発明に係る記録媒体において、聴感上判別できない特定データを曲間の無音区間内に挿入する特定データ挿入形態１の場合について説明するための模式図である。
【図１７】本発明に係る記録媒体において、聴感上判別できない特定データを曲間の無音区間内に挿入する特定データ挿入形態２の場合について説明するための模式図である。
【図１８】本発明に係る記録媒体において、聴感上判別できない特定データを曲間の無音区間内に挿入する特定データ挿入形態３の場合について説明するための模式図である。
【図１９】本発明に係る記録媒体において、聴感上判別できない特定データを曲間の無音区間内に挿入する特定データ挿入形態４の場合について説明するための模式図である。
【符号の説明】
１…ＥＦＭ信号、
１ａ…同期信号、１ｂ…結合ビット、１ｃ…サブコード、
１ｄ…第１符号語列、１ｅ…Ｃ２エラー訂正コード、
１ｆ…第２符号語列、１ｇ…Ｃ１エラー訂正コード、
１０…本発明に係る本実施例の記録媒体となる光ディスク、
１１…透明ディスク基板、１２…記録トラック、
２０…従来の変調装置、
２１…８−１４変調回路、２２…結合ビット付加回路、
２３…ＤＳＶ値演算回路、２４…ＤＳＶ値比較回路・結合ビット選択回路、
３０…本実施例の変調装置、
３１…８−１４変調回路、
３２Ａ…第１結合ビット付加回路、３２Ｂ…第２結合ビット付加回路、
３３Ａ…第１ＤＳＶ値演算回路、３３Ｂ…第２ＤＳＶ値演算回路、
３４…ＤＳＶ値比較回路・結合ビット選択回路、
３５…決定符号語列出力回路。
【図１】
2004165738.tif 000003
【図２】
2004165738.tif 000004
【図３】
2004165738.tif 000005
【図４】
2004165738.tif 000006
【図５】
2004165738.tif 000007
【図６】
2004165738.tif 000008
【図７】
2004165738.tif 000009
【図８】
2004165738.tif 000010
【図９】
2004165738.tif 000011
【図１０】
2004165738.tif 000012
【図１１】
2004165738.tif 000013
【図１２】
2004165738.tif 000014
【図１３】
2004165738.tif 000015
【図１４】
2004165738.tif 000016
【図１５】
2004165738.tif 000017
【図１６】
2004165738.tif 000018
【図１７】
2004165738.tif 000019
【図１８】
2004165738.tif 000020
【図１９】
2004165738.tif 000021